(57)【要約】      （修正有）【課題】複数の電気接点を支持する誘電性コネクタハウジングを有する電気コネクタの機械設備を最小化し、製造工程、およびまたは顧客使用を単純化すること。【解決手段】電気コネクタ組立体は、それぞれの電気接点１０４，２０４の第１および第２アレイ１０２，２０２を有する第１および第２電気コネクタ１００，２００を有する。電気接点１０４，２０４は、レセプタクルであることができ、または、一方はプラグであることができ、また、他方はレセプタクルであることができる。各電気コネクタ１００，２００は、さらに、相互に関して電気接点１０４，２０４の第１および第２アレイ１０２，２０２を整列するように協働する少なくとも１つの整列部材１１０，２１０を有することができる。さらに、あらかじめ規定した方向にて第１および第２電気コネクタ１００，２００が結合することを可能にする少なくとも１つの方向付け部材を有することができる。【選択図】図２
2018032638.tif 000002
【特許請求の範囲】
【請求項１】
コネクタハウジングと;
コネクタハウジングによって支持される電気接点のアレイであって、この電気接点のアレイは、相互から一定間隔で配置され、かつ第１方向に沿って延びる電気接点の少なくとも２つの横列を有し、相互から一定間隔で配置され、かつ、第１方向にほぼ垂直である第２方向に沿って延びる電気接点の少なくとも２つの縦列、電気接点の少なくとも２つの横列のそれぞれは、電気接点の少なくとも２つの縦列のそれぞれと交差するものと;
整列部材が、電気接点の少なくとも２横列間に配置されるような電気接点のアレイに配置され、さらに電気接点の少なくとも２縦列間に配置される整列部材とを有する電気コネクタ。
【請求項２】
整列部材は、電気接点のアレイのほぼ幾何学的な中心に配置される請求項１記載の電気コネクタ。
【請求項３】
整列部材は、第１方向および第２方向の両方にほぼ垂直である第３方向に沿うコネクタハウジングに関して外方に延びるポストを有する請求項１記載の電気コネクタ。
【請求項４】
整列部材は、さらに、ポストに隣接して配置されるレセプタクルを有する請求項３記載の電気コネクタ。
【請求項５】
レセプタクルは、第２方向に沿うポストから一定間隔で配置され、かつ、整列される請求項４記載の電気コネクタ。
【請求項６】
電気接点のアレイの各電気接点は、結合端部および対向する設置端部を有し、さらに、設置端部に配置される可融要素を有する請求項５記載の電気コネクタ。
【請求項７】
コネクタハウジングは、外部周囲を画定するハウジング本体を有し、かつ、コネクタハウジングは、さらに、周囲の一部に沿ってハウジング本体から突出する第２整列部材を有する請求項１記載の電気コネクタ。
【請求項８】
１）コネクタハウジングは、ハウジング本体、および横断方向に垂直な方向に沿う寸法に沿って相互から一定間隔で配置された第１および第２保持リブのそれぞれの複数を画定するように、横断方向におけるハウジング本体を介して延びる複数の保持開口を有し、２）電気接点は、保持開口のそれぞれのものに圧力嵌めされ、さらに、３）第１および第２保持リブのそれぞれは、０.０２ ｍｍと０.１５ｍｍ間の横断方向に沿う高さを有する請求項１記載の電気コネクタ。
【請求項９】
第１および第２保持リブの一方の高さは、０.０４ｍｍであり、さらに、第１および第２保持リブの他方の高さは、０.０８ｍｍである請求項８記載の電気コネクタ。
【請求項１０】
第１コネクタハウジングと、第１コネクタハウジングによって支持される電気接点の第１アレイと、外部周囲を画定し、かつ、第１整列部材の外部周囲が、電気接点の第１アレイのそれぞれの電気接点によってほぼ取囲まれるような電気接点の第１アレイ内に配置される第１整列部材とを有する第１電気コネクタと;
第１電気コネクタに結合するように構成される第２電気コネクタであって、第２電気コネクタは、第２コネクタハウジングと、第２コネクタハウジングによって支持される電気接点の第２アレイと、外部周囲を画定し、かつ、第２整列部材の外部周囲が、電気接点の第２アレイのそれぞれの電気接点によって取囲まれるように電気接点の第２アレイ内に配置される第２整列部材であって、第１および第２電気コネクタが相互に結合するので、相互に関連のある電気接点の第１および第２アレイをほぼ整列させるように第１電気コネクタの第１整列部材と結合するように構成される第２整列部材とを有する電気コネクタ組立体。
【請求項１１】
第１アレイの電気接点は、第１および第２整列部材が相互に整列しない場合は、第２アレイの電気接点と結合しない請求項１０記載の電気コネクタ組立体。
【請求項１２】
第１整列部材は、第１ポストおよびこの第１ポストに隣接して配置される第１レセプタクルを有し、さらに、第２整列部材は、第２ポストおよびこの第２ポストに隣接して配置される第２レセプタクルを有し、さらに、第１電気コネクタが、第２電気コネクタに結合する場合、第１ポストは、第２レセプタクル内に受けられ、かつ、第２ポストは、第１レセプタクル内に受けられる請求項１０記載の電気コネクタ組立体。
【請求項１３】
第１整列部材は、電気接点の第１アレイのほぼ幾何学的中心に配置され、さらに、第２整列部材は、電気接点の第２アレイのほぼ幾何学的中心に配置される請求項１０記載の電気コネクタ組立体。
【請求項１４】
電気接点の第１アレイの各電気接点は、結合端部、および可溶要素を支持する、反対された設置端部を有し、さらに、電気接点の第２アレイの各電気接点は、結合端部、および可溶部を支持する対向する設置端部を有する請求項１０記載の電気コネクタ組立体。
【請求項１５】
第１および第２電気コネクタが相互に結合する場合、電気接点の第１アレイの各可溶要素は、電気接点の第２アレイの対応する可溶要素から一定間隔、１ｍｍ〜４ｍｍの距離、に配置される請求項１４記載の電気コネクタ組立体。
【請求項１６】
距離は、およそ２ｍｍである請求項１５記載の電気コネクタ組立体。
【請求項１７】
第１および第２電気コネクタは、相互に関してほぼ同一である請求項１０記載の電気コネクタ組立体。
【請求項１８】
１）コネクタハウジング供給のそれぞれは、ハウジング本体、および横断方向に垂直な方向に沿う寸法に沿って相互から一定間隔で配置される第１および第２保持リブのそれぞれの複数を画定するように横断方向におけるハウジング本体を介して延びる複数の保持開口を有する、２）電気接点は、保持開口のそれぞれのもの内に加圧嵌めされ、および、３）第１および第２保持リブのそれぞれは、横断方向に沿う０.０２ｍｍと０.１５ｍｍとの間の高さを有する請求項１０記載の電気コネクタ。
【請求項１９】
第１および第２保持リブの一方の高さは、０.０４ｍｍであり、第１および第２保持リブの他方の高さは、０.０８ｍｍである請求項１８記載の電気コネクタ。
【請求項２０】
電気絶縁性のコネクタハウジングと;
設置端部に対向して配置される基板および結合端部上に設置するように構成される設置端部を画定するように、コネクタハウジングによって支持されるジェンダ−中立の電気接点のアレイであって、電気接点のアレイの電気接点のそれぞれは、第１および第２対向する側面部および第１および第２対向する端縁と、端縁より長い側面部とを画定し、電気接点のアレイは、  複数の横列を画定し、縦列方向に沿って一定間隔で配置される複数の横列、および、横列の方向に沿って一定間隔で配置される複数の縦列を画定し、それは、各横列の電気接点の隣接したものの端縁と各縦列の電気接点の隣接したものの側面部とが相互に対面するようなものと;を有してなり、
結合端部のそれぞれは、湾曲を画定するように曲げられ、さらに、電気接点は、縦列方向に沿って整列する第１、第２、第３電気接点を画定し、それは、第２電気接点が、第１および第３電気接点の間に隣接して配置され、第１および第２電気接点の結合端部の湾曲が、相互に対面し、かつ、第２および第３電気接点の結合端部の湾曲が、相互から離れて対面するようであり、第１距離は、縦列方向に沿って第１電気接点の結合端部から第２電気接点の結合端部に画定され、さらに、第２距離は、縦列方向に沿って第２電気接点の結合端部から第３電気接点の結合端部に画定され、かつ、第１距離は、第２距離未満であるようなものである電気コネクタ。
【請求項２１】
各設置端部は、可溶要素を有する請求項２０記載の電気コネクタ。
【請求項２２】
第１電気接点の結合端部は、第２電気接点に関して凹面である請求項２０記載の電気コネクタ。
【請求項２３】
第２電気接点の結合端部は、第１電気接点に関して凹面である請求項２２記載の電気コネクタ。
【請求項２４】
第１、第２、および第３電気接点のそれぞれは、ほぼ第１、第２、および第３電気接点とほぼ同一に形作られるそれぞれの１つの電気接点と結合するように構成される請求項２０記載の電気コネクタ。
【請求項２５】
電気接点のアレイは開放したピンフィールドを画定する請求項２０記載の電気コネクタ。
【請求項２６】
電気接点の湾曲は、各縦列の接点から隣接する接点までの方向に交互である請求項２０記載の電気コネクタ。
【請求項２７】
縦列方向に沿って各縦列の電気接点の結合端部を介して延びるラインは、コネクタハウジングを通り抜けることなしに、それぞれの縦列における各電気接点の湾曲を通り抜ける請求項２０記載の電気コネクタ。
【請求項２８】
縦列の１つにおける各電気接点の結合端部を介して延びるラインは、電気接点の隣接したものの湾曲間の空気をのみ通り抜ける 請求項２０記載の電気コネクタ。
【請求項２９】
１）コネクタハウジングは、ハウジング本体、および横断方向に垂直な方向に沿った1寸法に沿って互いから一定間隔で配置された第１と第２保持リブのそれぞれの多数を画定するように横断方向でのハウジング本体によって延びる複数の保持開口を有し、２）電気接点は、第１および第２側面部が、第１および第２保持リブのそれぞれのものに対して圧力嵌めであるような保持開口のそれぞれのもの内に配置され、３）第１および第２保持リブのそれぞれが、０.０２ｍｍと０.１５ｍｍとの間の横断方向に沿う高さを有する請求項２０記載の電気コネクタ。
【請求項３０】
第１および第２保持リブの一方の高さは、０.０４ｍｍであり、かつ、第１および第２保持リブの他方の高さは、０.０８ｍｍである請求項２９記載の電気コネクタ。
【請求項３１】
コネクタハウジングと;
コネクタハウジングによって支持される電気接点のアレイであって、この電気接点のアレイは、相互から一定間隔で配置され、かつ第１方向に沿って延びる電気接点の少なくとも２横列と、相互から一定間隔で配置され、かつ第１方向にほぼ垂直である第２方向に沿って延びる電気接点の少なくとも２縦列とを有し、電気接点の少なくとも２つの横列のそれぞれは、電気接点の少なくとも２縦列のそれぞれと交差するものとを有し;
電気接点のそれぞれは、およそ１ｍｍとおよそ４ｍｍとの間の範囲におけるスタック高さを画定するように、電気コネクタが結合する場合に、電気接点のそれぞれの結合端部は、補完的な電気コネクタの電気接点の補完的な結合端部と結合するように構成される、結合端部および設置端部を画定する電気コネクタ。
【請求項３２】
スタック高さは、およそ３ｍｍである請求項３１記載の電気コネクタ。
【請求項３３】
さらに、それぞれの設置端部での電気接点のそれぞれ溶融するハンダボールを有する請求項３１記載の電気コネクタ。
【請求項３４】
スタック高さは、それぞれ、電気コネクタおよび補完的な電気コネクタのハンダボールの対向する最外側の端部によって画定される請求項３３記載の電気コネクタ。
【請求項３５】
設置端部のハンダボールは、すべて相互に共通平面である請求項３３記載の電気コネクタ。
【請求項３６】
ハンダボールは、コネクタハウジングの窪んだ領域に少なくとも部分的に存在する請求項３５記載の電気コネクタ。
【請求項３７】
スタック高さは、およそ１.５ｍｍとおよそ２.５ｍｍとの間の範囲にある請求項３６記載の電気コネクタ。
【請求項３８】
電気接点は、単に２つの位置でのみコネクタハウジングに接触し、さらに、２つの位置のそれぞれは、０.０１５ｍｍ平方対０.００１ｍｍ平方の接点領域を画定する請求項３１の電気コネクタ。
【請求項３９】
電気接点のそれぞれの結合端部は、プラグを有し、補完的な電気接点の結合端部は、それぞれ、プラグの１つを受けるレセプタクルを有する請求項３１から３８のいずれか１項記載の電気コネクタ。
【請求項４０】
電気接点のそれぞれの結合端部は、１対のスプリングアームによって画定されるレセプタクルを有し、さらに、各補完的な結合端部は、レセプタクルの１つによって受けられるプラグを有する請求項３１から３８のいずれか１項記載の電気コネクタ。
【請求項４１】
コネクタハウジングと;
コネクタハウジングによって支持される複数の電気接点と;
を有してなり、電気接点は、単に２つの位置でのみコネクタハウジングに接触し、かつ、その２つの位置のそれぞれは、０.０１５ｍｍ平方ミリメートルに対する０.００１ｍｍ平方の接点領域を画定する電気コネクタ。
【請求項４２】
コネクタハウジングは、横断方向に沿って相互から一定間隔で配置された内側端部および外側端部を画定し、電気接点は、１）横断方向に垂直である長手方向に沿って相互から一定間隔で配置される第１および第２対向する側面部、および、２）横断方向および長手方向の両方に垂直である横方向に沿って相互から一定間隔で配置される第１および第２対向する端縁、を画定し、さらに、側面部は、長手方向および横方向によって画定される平面における端縁より長い請求項４１記載の電気コネクタ。
【請求項４３】
電気接点は、それぞれ、０.１ｍｍの長手方向に沿う厚さを有する請求項４２記載の電気コネクタ。
【請求項４４】
それぞれの位置は、０.０１ｍｍから０.１５ｍｍまでの横断方向に沿う接点高さ寸法を画定する請求項４２および４３のいずれか１項記載の電気コネクタ。
【請求項４５】
各位置の接点高さ寸法は、０.０６ｍｍである請求項４４記載の電気コネクタ。
【請求項４６】
電気接点は、２つの保持翼を画定し、さらに、２つの位置は、保持翼とコネクタハウジングとの間のそれぞれの当接によって画定される請求項４１記載の電気コネクタ。
【請求項４７】
保持翼は、それぞれ半径０.６ｍｍによって画定される請求項４６記載の電気コネクタ。
【請求項４８】
第１コネクタハウジングと;
第１コネクタハウジングによって支持される第１電気接点の第１アレイであって、この第１電気接点の第１アレイは、相互から一定間隔で配置され、かつ第１方向に沿って延びる第１電気接点の少なくとも２つの横列と、      相互から一定間隔で配置され、かつ第１方向にほぼ垂直である第２方向に沿って延びる第１電気接点の少なくとも２つの縦列とであって、電気接点の少なくとも２つの横列のそれぞれは、第１電気接点の少なくとも２縦列のそれぞれと交差するものとを有してなり;
第１電気接点のそれぞれは、結合端部および設置端部を画定し、電気接点のそれぞれの結合端部は、１対の一定間隔で配置されたスプリングアームによって画定されたレセプタクルである; 第１電気コネクタと:
さらには、第２コネクタハウジングと;
第２コネクタハウジングによって支持される第２電気接点の第２アレイであって、この第２電気接点の第２アレイは、相互から一定間隔で配置され、かつ第１方向に沿って延びる第２電気接点の少なくとも２横列と、相互から一定間隔で配置され、かつ第１方向にほぼ垂直である第２方向に沿って延びる第２電気接点の少なくとも２縦列とであって、第２電気接点の少なくとも２横列のそれぞれは、第２電気接点の少なくとも２縦列のそれぞれと交差するものとを有してなり;
第２電気接点のそれぞれは、結合端部および設置端部を画定し、電気接点のそれぞれの結合端部は、第２電気接点の補完的な１つのスプリングアームの間で受けられるように構成されるプラグであり、それは、電気組立体が、およそ１ｍｍとおよそ４ｍｍの間の範囲にスタック高さを画定するようなものである第２電気コネクタと:を有する電気組立体。
【請求項４９】
スタック高さは、およそ２ｍｍである請求項４８記載の電気組立体。
【請求項５０】
電気コネクタのそれぞれは、さらに、それぞれの設置端部での電気接点のそれぞれに溶融するハンダボールを有する請求項４９記載の電気組立体。
【請求項５１】
ハンダボールは、接点がコネクタハウジングによって支持されている間に、それぞれの設置端部での電気接点上にリフローされる請求項５０記載の電気組立体。
【請求項５２】
各電気コネクタの設置端部でハンダボールは、すべて相互に共通平面である請求項５１記載の電気組立体。
【請求項５３】
第１電気コネクタの設置端部でのハンダボールは、第１平面において相互に共通平面であり、かつ、第２電気コネクタの設置端部でのハンダボールは、第２平面において相互に共通平面であり、さらに、第１平面は、第２平面と平行である請求項５２記載の電気組立体。
【請求項５４】
ハンダボールは、コネクタハウジングの窪んだ領域に少なくとも部分的に存在する請求項５０記載の電気組立体。
【請求項５５】
ハウジング本体とこのハウジング本体を介して延びる複数の保持穴とを有するコネクタハウジングであって、ハウジング本体の少なくとも１つの内部壁によって画定される各保持穴であって各保持穴は選択した方向に沿う横断面の寸法を画定するものと;
コネクタハウジングに支持される電気接点のアレイであって、この電気接点のアレイは相互から一定間隔で配置され、かつ第１方向に沿って延びる電気接点の少なくとも２横列を有し、さらに相互いから一定間隔で配置され、かつ第１方向にほぼ垂直である第２方向に沿って延びる電気接点の少なくとも２縦列であって、電気接点の少なくとも２横列のそれぞれが電気接点の少なくとも２縦列のそれぞれと交差するものと;
電気接点のそれぞれは、結合する端部と、結合端部と対向する設置端部と、それぞれの設置端部での電気接点のそれぞれに融合されたそれぞれのハンダボールと、結合端部と設置端部との間に延びる先端部分とを画定してなり、電気接点のそれぞれは、さらに、相互から一定間隔で配置される、自由な遠位先端が、保持穴のそれぞれのものの内に圧力嵌めされるように、横断面寸法より大きい選択した方向に沿う距離、相互から一定間隔で配置されるそれぞれの自由な遠位先端への先端部分の対向側部から外方に突出する１対の保持翼を有し、さらに先端部分は、保持翼の一方から保持翼の他方へ選択した方向に垂直である第２方向に沿う少なくとも１つの内部壁から一定間隔で配置されるものを有する電気コネクタ。
【請求項５６】
電気接点のそれぞれの結合端部は、電気コネクタが、相互に結合され、それによって、およそ１ｍｍとおよそ４ｍｍとの間の範囲におけるスタック高さを画定する場合に、補完的な電気コネクタの電気接点のプラグ結合端部を受けるように構成される１対のスプリングアームによって画定されるレセプタクルである請求項５５記載の電気コネクタ。
【請求項５７】
電気接点のそれぞれの結合端部は、電気コネクタが、相互に結合され、それによって、およそ１ｍｍとおよそ４ｍｍとの間の範囲におけるスタック高さを画定する場合に、補完的な電気コネクタの電気接点である１対のスプリングアームによって受けられるように構成される平担なブレードである請求項５５記載の電気コネクタ。
【請求項５８】
各電気接点は、選択した方向に沿って相互から一定間隔で配置された１対の端縁、および、第１方向に関して垂直である第２方向に沿って相互から一定間隔で配置された１対の対向する側面部を画定し、それは、側面部が、電気接点と交差での電気接点にほぼ直角に方向付けられる平面との交差に沿う端縁より長いようなものである請求項５５記載の電気コネクタ。
【請求項５９】
側面部のそれぞれは、保持翼の一方から保持翼の他方に連続していることを特徴とする請求項５８記載の電気コネクタ。
【請求項６０】
電気接点は、一方の側面部から他方の側面部まで接点本体を介して延びる取囲まれた開口を欠如する請求項５９記載の電気コネクタ。
【請求項６１】
電気接点のそれぞれの結合端部は、補完的な電気コネクタの電気接点のプラグ結合端部を受けるように構成される１対のスプリングアームによって画定されるレセプタクルであり、側面部のそれぞれは、さらに、スプリングアームのそれぞれから、それぞれの設置端部へ連続的である請求項５５記載の電気コネクタ。
【請求項６２】
電気接点は、一方の側面部から他方の側面部まで接点本体を介して延びる取囲まれた開口を欠如する請求項６１記載の電気コネクタ。
【発明の詳細な説明】
【技術分野】
【０００１】
この発明は、電気コネクタに係り、複数の電気接点を支持する誘電性コネクタハウジングを有する電気コネクタに関する。
【背景技術】
【０００２】
[0001]電気コネクタは、典型的には複数の電気接点を支持する誘電性コネクタハウジングを有する。電気接点およびまたはコネクタハウジングの物理的特性は、典型的には電気コネクタの信号完全性(ＳＩ)性能を管理することができる。例えば、中二階（mezzanine）電気コネクは、可融要素を有する多くの電気接点のアレイで構築することができ、かつ、ボールグリッドアレイ(ＢＧＡ)コネクタと呼ぶことができる。１対の補完的な中二階ＢＧＡコネクタは、相互に結合したときに、スタック高さを画定することができる。典型的な中二階ＢＧＡコネクタのスタック高さより短いそれを有する中二階ＢＧＡコネクタは、典型的な中二階ＢＧＡコネクタに関連する増強されたＳＩ特性を示すことができる。コネクタハウジングおよび関連する電気接点がますます小さくなるので、接触保持はますますより困難になる。プラスチックまたは他の適切なコネクタハウジング材料の量が縮小されるので、それぞれの電気接点上におけるハンダの塊りまたはボールのリフロー中、基板上における電気コネクタのリフロー中、熱膨張中、または電気接点によってつくりだされる内部コネクタハウジングストレスによって、ハウジングが、歪むかカールすることを防止することは、また、技術的な挑戦である。非常に小さい電気接点に沿うハンダのウィッキング（wicking）を防止することは、また、より困難である。
【発明の概要】
【０００３】
[0002]電気コネクタは、電気コネクタのコネクタハウジングによって支持された電気接点のピンフィールドの中心に配置される案内、または整列部材を有することができる。
電気コネクタのピンフィールドは、補完的な電気コネクタのジェンダ−中立（gender-neutral）に構成することができる。整列部材は、また、ジェンダ−中立になることができる。ジェンダ−中立の電気コネクタとして電気コネクタを構成することは、電気コネクタの機械設備を最小化し、製造工程、およびまたは顧客使用を単純化することができる。
【０００４】
[0003]実施例にしたがって、電気コネクタは、コネクタハウジングを有する。電気コネクタは、さらにコネクタハウジングよって支持された電気接点のアレイを有する。電気接点のアレイは、相互から一定間隔で配置され、かつ第１方向に沿って延びる電気接点の少なくとも２つの横列（raw）、および相互から一定間隔で配置され、かつ第１方向にほぼ垂直である第２方向に沿って延びる電気接点の少なくとも２つの縦列（column）を有する。電気接点の少なくとも２つの横列のそれぞれは、電気接点の少なくとも２つの縦列のそれぞれと交差する。電気コネクタは、さらに、整列部材が電気接点の少なくとも２つの横列および電気接点の少なくとも２つの縦列によって囲まれるよう電気接点のアレイに配置される整列部材を有する。
【０００５】
[0004]他の実施例にしたがって、電気コネクタ組立体は、第１コネクタハウジングと、第１コネクタハウジングによって支持される電気接点の第１アレイと、外周囲を画定する第１整列部材とを有する第１電気コネクタを有し、さらに、第１整列部材の外周囲が、電気接点の第１アレイのそれぞれの電気接点によってほぼ囲まれるように、電気接点の第１アレイに配置される。電気コネクタ組立体は、さらに第１電気コネクタに結合するように構成される第２電気コネクタを有する。第２電気コネクタは、第２コネクタハウジングと、この第２コネクタハウジングによって支持される電気接点の第２アレイと、外周囲を画定する第２整列部材とを有し、さらに、第２整列部材の外周囲が電気接点の第２アレイのそれぞれの電気接点によってほぼ囲まれるように、電気接点の第２アレイに配置される。第２整列部材は、相互に関連する電気接点の第１および第２アレイをほぼ整列するように第１電気コネクタの第１整列部材と結合するように構成される。現在の開示の１つの実施例は、部分的に電気接点とこの電気接点を支持するコネクタハウジングとの間の接点領域を、増加するよりもむしろ減少することによって、多くの技術的な挑戦を克服する。
【０００６】
[0005]この出願の実施例の以下の詳細な記述と同様に、先の概要は、付属の図面との関係で読まれたときに、一層よく理解され、例証の目的用の実施例が図に示されている。しかしながら、この出願は、図示された正確な配置および手段に限定されないいことはよりよく理解されるべきである。
【図面の簡単な説明】
【０００７】
【図１】[0006]図１は、それぞれの第１および第２プリント回路基板上に組み立てられた第１および第２電気コネクタを有して、１つの実施例にしたがって構築された電気組立体の斜視図であり、さらに、相互に結合するように整列して示される;
【図２】[0007]図２は、図１で例証された第１および第２電気コネクタの斜視図である;
【図３Ａ】[0008]図３Ａは、第１および第２電気コネクタの補完的な整列部材の係合によって整列した第１および第２電気コネクタのそれぞれの電気接点とともに、図１で例証された第１および第２電気コネクタのそれぞれの部分の拡大した断面斜視図である;
【図３Ｂ】[0009]図３Ｂは、第１および第２電気コネクタが相互に結合した後の、第１および第２電気コネクタのそれぞれの部分の拡大した断面斜視図である;
【図４】[0010]図４は、第１および第２電気コネクタを有し、代りの実施例にしたがって構築された電気組立体の斜視図である;
【図５】[0011]図５は、図４で例証された第１および第２電気コネクタの斜視図である;
【図６Ａ】[0012]図６Ａは、相互に結合するように構成されたレセプタクルコネクタおよびヘッダコネクタを有して、代りの実施例にしたがって構築された電気コネクタ組立体の斜視図である;
【図６Ｂ】[0013]図６Ｂは、図６Ａで例証された電気コネクタ組立体の側面図である;
【図６Ｃ】[0014]図６Ｃは、図６Ａで例証された電気コネクタ組立体の第２側面図である;
【図７Ａ】[0015]図７Ａは、結合インターフェースを示す図６Ａで例証されたレセプタクルコネクタの斜視図である;
【図７Ｂ】[0016]図７Ｂは、組立インターフェースを示す図６Ａで例証されたレセプタクルコネクタの斜視図である;
【図７Ｃ】[0017]図７Ｃは、結合インターフェースを示す図６Ａで例証されたヘッダコネクタの斜視図である;
【図７Ｄ】[0018]図７Ｄは、組立てインターフェースを示す図６Ａで例証されたヘッダコネクタの斜視図である;
【図８Ａ】[0019]図８Ａは、相互に結合されたレセプタクルおよびヘッダのコネクタで示された図６Ａで例証された電気コネクタ組立体の平面図である;
【図８Ｂ】[0020]図８Ｂは、８Ｂ−８Ｂ線に沿って得られた図８Ａで例証された電気コネクタ組立体の側断面画である;
【図９Ａ】[0021]図９Ａは、コネクタハウジングに挿入されつつ示され、かつコネクタハウジング内に挿入されて示されるレセプタクルコネクタの電気接点のうちの１つの部分的な分解斜視図である;
【図９Ｂ】[0022]図９Ｂは、コネクタハウジング内に挿入されて示される図９Ａで例証された電気接点の側断面図である;
【図１０Ａ】[0023]図１０Ａは、コネクタハウジングに挿入されつつ示され、かつコネクタハウジングに挿入されて示されるヘッダコネクタの電気接点のうちの１つの部分的な分解斜視図である;
【図１０Ｂ】[0024]図１０Ｂは、コネクタハウジングに挿入されて示される図１０Ａで例証された電気接点の側断面図である;
【図１１Ａ】[0025]図１１Ａは、レセプタクルコネクタの電気接点と結合するように整列したヘッダコネクタの電気接点の側面図である;
【図１１Ｂ】[0026]図１１Ｂは、結合して示される図１１Ａで例証された電気接点の側面図である。
【発明の詳細な説明】
【０００８】
[0027]はじめに図１−２を参照して、電気コネクタ組立体１０は、第１電気コネクタ１００と、相互に電気伝導に第１および第２電気コネクタを置くようにこの第１電気コネクタ１００に結合するように構成される第２電気コネクタ２００とを有する。第１電気コネクタ１００は、より詳細には下に記述されるように、補完的な第２電気コネクタの少なくとも１つの整列部材と係合するように構成される少なくとも１つの整列部材を有することができる。第１および第２電気コネクタ１００および２００の少なくとも１つの整列部材は、それぞれ、第１および第２電気コネクタ１００および２００が、それぞれの少なくとも部分的に、相互に関して、第１および第２電気コネクタ１００および２００のそれぞれの電気接点を整列し、かつ電気コネクタの結合の間に相互に関して第１および第２電気コネクタ１００および２００の適切な方向付けを確実にするように結合する場合、それぞれに相互と係合することができる。
【０００９】
[0028]第１電気コネクタ１００は、電気接点１０４の第１アレイ１０２を有することができる。第２電気コネクタ２００は、第１電気コネクタ１００と同一のものを、または相違して構成することができる。例えば、例証された実施例にしたがって、第１および第２電気コネクタ１００および２００は、相互にほぼ同一に構築される。この点では、第１および第２電気コネクタ１００および２００は、ジェンダ−中立の電気コネクタとして構築されるということができる。
【００１０】
[0029]第１電気コネクタ１００は、コネクタハウジング１１２を有することができ、このコネクタハウジングは、第１コネクタハウジングと呼ぶことができ、電気接点１０４であって、電気接点１０４の第１複数と呼ぶことができるものの第１アレイ１０２を支持するように構成される。コネクタハウジング１１２は、プラスチックのような任意の適切な誘電体で作ることができ、さらに、電気接点１０４は、金属のような任意の適切な電気伝導性材料から作ることができる。例証された実施例にしたがって、コネクタハウジング１１２は、電気接点１０４上に重ね成型することができる。代りに、電気接点１０４は、コネクタハウジング１１２内に止める（stitch）ことができ、または、そうでなければ、望まれるようにコネクタハウジング１１２によって支持することができる。コネクタハウジング１１２は、第１の、または長手方向Ｌに沿って相互から一定間隔で配置される対向する第１および第２側部１１４ａおよび１１４ｂと、長手方向Ｌにほぼ垂直に延びる第２の、または横方向Ａに沿って相互から一定間隔で配置される対向する第３および第４側部１１４ｃおよび１１４ｄと、結合インターフェース１０６を画定する内側端部１１４ｅと、第３、または横断方向Ｔに沿った内側端部１１４ｅから一定間隔で配置され、かつ、対向する設置（mounting）インターフェース１０８を画定する外側端部１１４ｆを画定するハウジング本体１１４とを有することができる。横断方向Ｔは、長手方向Ｌおよび横方向Ａの両方にほぼ垂直に延びる。内側端部１１４ｅは、結合インターフェース１０６を画定することができ、さらに、外側端部１１４ｆは、設置インターフェース１０８を画定することができる。第１電気コネクタ１００の方向付け、およびしたがって電気コネクタ組立体１０が、使用中に変わることができるけれども、例証された実施例にしたがって、長手方向Ｌおよび横方向Ａが、水平に方向付けられ、さらに、横断方向Ｔが、垂直に方向付けられることは、認識されるべきである。ここに格別の定めがない限り、用語「横の」、「横に」、「長手の」、「長手に」、「横断の」、「横断に」は、参照がなされる図面において垂直の方向の部品を指定するために使用される。
【００１１】
[0030]電気コネクタ１００は、第１電気コネクタ１００が、第１プリント回路基板１０９と電気伝導に置かれるように設置インターフェース１０８で、基礎となる基板、例えば第１プリント回路基板(ＰＣＢ)１０９に設置されるように構成される。同様に、第２電気コネクタ２００は、第２プリント回路基板２０９と電気伝導に置かれるように設置インターフェースで、基礎となる基板、例えば第２プリント回路基板(ＰＣＢ)１０９に設置されるように構成することができる。したがって、電気コネクタシステムは、それぞれのプリント回路基板１０９および２０９上に設置されて、第１および第２電気コネクタ１００および２００を有して電気コネクタ組立体１０を有することができる。したがって、第１および第２電気コネクタ１００−２００は、相互に結合する場合、それは、第１電気コネクタ１００の結合インターフェース１０６が、相互との電気伝導に電気接点１０４および２０４のそれぞれのアレイを置く第２電気コネクタ２００の結合インターフェース２０６と係合するようなものであり、第１および第２電気コネクタ１００−２００は、第２プリント回路基板との電気伝導に第１プリント回路基板を置くように作動することができる。
【００１２】
[0031]同様に、第２電気コネクタ２００は、コネクタハウジング２１２を有することができ、そのコネクタハウジングは、第２コネクタハウジングと呼ぶことができ、電気接点２０４の第２アレイ２０２を支持するように構成され、その電気接点は、電気接点の第２複数と呼ぶことができるものである。コネクタハウジング２１２は、プラスチックのような任意の適切な誘電体材料で作ることができ、さらに、電気接点２０４は、金属のような任意の適切な導体材料でつくることができる。例証された実施例にしたがって、コネクタハウジング２１２は、電気接点２０４上に重ね成型することができる。代りに、電気接点２０４は、コネクタハウジング２１２内に止めることができるか、またはそうでなければ、望まれるようにコネクタハウジング２１２によって支持することができる。コネクタハウジング２１２は、第１の、または長手方向Ｌに沿って、相互から一定間隔で配置される対向する第１および第２側部２１４ａおよび２１４ｂと、長手方向Ｌにほぼ垂直に延びる第２の、または横方向Ａに沿って、相互から一定間隔で配置される対向する第３および第４側部２１４ｃおよび２１４ｄと、内側端部２１４ｅと、長手方向Ｌおよび横方向Ａの両方にほぼ垂直に延びる第３、または横断方向Ｔに沿った内側端部２１４ｅから一定間隔で配置される外側端部２１４ｆとを画定するハウジング本体２１４を有することができる。内側端部２１４ｅは、結合インターフェース２０６を画定することができ、さらに、外側端部２１４ｆは、設置インターフェース２０８を画定することができる。
【００１３】
[0032]今度はまた図３Ａ−３Ｂを参照して、各電気接点１０４は、結合インターフェース１０６から外に延びる結合端部１１６を画定する接点本体１０５と、設置インターフェース１０８から外に延びる、対向する設置端部１１８と、結合端部１１６と設置端部１１８との間に延びる先端部分１１９とを有することができる。各電気接点１０４の接点本体１０５の少なくとも一部分は、それが横断方向Ｔに沿う結合端部１１６と設置端部１１８との間に延びるので、結合および設置端部１１６と１１８との間でそれぞれ曲げることができる。例えば、例証された実施例にしたがって、各接点本体は、結合端部１１６と設置端部１１８との間の一般に「Ｓ」形の領域を画定することができ、それは、結合端部１１６が、設置端部１１８に関して長手方向Ｌに沿って偏倚する先端１２０を画定するようなものである。各電気接点１０４は、より詳細に以下に記述されるように、先端１２０が、コネクタハウジング１１２のハウジング本体１１４の第１側部１１４ａまたは第２側部１１４ｂのうちの１つに向かって面するように、コネクタハウジング１１２によって支持することができる。例えば、１つ、またはそれ以上の先端１２０、およびしたがって、１つ、またはそれ以上の結合端部１１６は、湾曲を画定するように曲がることができる。各電気接点１０４、例えば結合端部１１６の少なくとも一部分が、１対の対向する端縁、およびこの対向する端縁よりも長い開口する１対の側面部（broadside）を画定することができ、それは、接点本体が、横断面で接点本体１０５に垂直である直角の方向に沿って画定されるほぼ長方形の横断面を画定するようなものである。第１アレイ１０２の電気接点１０４は、側面部結合された差動信号接点として、端部結合された信号接点として、解放接点として、または、望まれるようなそれらの任意の組合せとして構成することができる。
【００１４】
[0033]第２アレイ２０２の電気接点２０４は、第１アレイ１０２の電気接点１０４に関して同一に構成することができる。したがって、第１アレイ１０２の電気接点１０４に関して記述され、かつ例証される全ての構造は、１００だけ増加する参照数字によって第２アレイ２０２の電気接点２０４に関して例証される。したがって、図３Ａ−３Ｂに対する継続的な参照によって、各電気接点２０４は、結合インターフェース２０８から外に延びる結合端部２１６を画定する接点本体２０５と、設置インターフェース２０６から外に延びる対向する設置端部２１８と、結合端部２１６と設置端部２１８との間に延びる先端部分２１９とを有することができる。それが横断方向Ｔに沿って結合および設置端部２１６および２１８の間に延びるので、各電気接点２０４の接点本体２０５の少なくとも一部分は、それぞれ結合および設置端部２１６および２１８の間で曲がることができる。例えば、例証された実施例にしたがって、各接点本体は、一般に「Ｓ」形状の領域を画定することができ、それは、結合端部２１６が、設置端部２１８に関して長手方向Ｌに沿って偏倚される先端２２０を画定するようなものである。各電気接点２０４は、より詳細に以下に記述されるように、先端２２０が、第１側部２１４ａまたはコネクタハウジング２１２のハウジング本体２１４の第２側部２１４ｂのうちの一方に向かって面しているようなコネクタハウジング２１２によって支持することができる。例えば、１つ、またはそれ以上の先端２２０、およびしたがって１つまたはそれ以上の結合端部２１６は、湾曲を画定するように曲がることができる。各電気接点２０４、例えば結合端部２１６の少なくとも一部分は、１対の対向する端縁、および１対の対向する端縁よりも長い１対の対向する側面部を画定することができ、それは、接点本体が、横断面での接点本体２０５に垂直である直角の方向に沿って画定されるほぼ長方形の横断面を画定するようなものである。第２アレイ２０２の電気接点２０４は、側面部結合された差動信号接点として、端部結合された差動信号接点として、解放接点、または、望まれるようなそれらの任意の組合せとして構成することができる。
【００１５】
[0034]第１電気コネクタ１００の結合インターフェース１０６、および第２電気コネクタ２００の結合インターフェース２０６は、それぞれ、それぞれの設置インターフェース１０８および２０８と平行して方向付けられるので、第１および第２電気コネクタ１００および２００は、垂直、または中二階電気コネクタと呼ぶことができる。しかしながら、第１および第２電気コネクタ１００−２００の一方または両方が、例えば、それぞれの結合インターフェースがそれぞれの設置インターフェースにほぼ垂直に方向付けられるように直角の電気コネクタとして、そうでなければ望まれるように構築することができることは認識されるべきである。
【００１６】
[0035]第１電気コネクタ１００の電気接点１０４の結合端部１１６は、より詳細には以下に記述されるように、第２電気コネクタの電気接点２０４の対応するレセプタクル結合端部と結合するように構成されるレセプタクル結合端部として構成することができる。同様に、第２電気コネクタ２００の電気接点２０４の結合端部２１６は、より詳細には以下に記述されるように、第１電気コネクタ１００の電気接点１０４の対応するレセプタクル結合端部と結合するように構成されるレセプタクル結合端部として構成することができる。この点では、第１および第２電気コネクタ１００および２００は、レセプタクル電気コネクタと呼ぶことができる。しかしながら、第１および第２電気コネクタ１００および２００が、それぞれ、例証された結合端部に限定されないこと、さらには、第１および第２電気コネクタ１００および２００の一方または両方の電気接点が、代りに、望まれるような任意の他の適切な結合端部で構成することができることは認識されるべきである。例えば、第１または第２電気コネクタ１００または２００のうちの一方の電気接点は、代りに、プラグ結合端部を有する電気接点で構成することができ、およびしたがって、第１または第２電気コネクタ１００または２００の他方のレセプタクル電気コネクタと結合するように構成されるヘッダ電気コネクタと呼ぶことができる。
【００１７】
[0036]電気接点の設置端部１１８は、補完的な電気部品、例えば、上に記述されたように第１プリント回路基板１０９に設置することができるように構成することができる。例えば、例証された実施例にしたがって、各電気接点１０４の設置端部は、例えば設置端部１１８に融解されて、接点本体１０５の設置端部１１８に配置されるハンダボール１２２のような可融要素を有することができる。ハンダボール１２２は、すべて以下に述べられ、ハンダリフロープロセスが完成する前、および後の両方に、設置インターフェース１０８に沿って相互と共通平面になることができる。ハンダボール１２２は、電気接点１０４の接点本体と一体で、かつ、単一体になることができ、または、個別になることができ、かつ設置端部１１８に取付けることができる。第１プリント回路基板に第１電気コネクタ１００を配置し、かつ第１電気コネクタ１００および第１プリント回路基板をハンダリフロープロセスにさらすことによって、電気接点１０４のハンダボール１２２は、対応する電気接点、例えば第１プリント回路基板の電気伝導性の導体パッドに設置することができること、それによって、ハンダボール１２２は、それぞれのプリント回路基板の接点パッドに対して溶融することは認識されるべきである。電気接点１０４は、例証された設置端部１１８に限定されないこと、さらには、設置端部１１８は、代りに第１プリント回路基板の補完的バイア（vias）に挿入されるように構成される圧力嵌め設置尾部のように、任意の他の適切な可融性の、または望まれるような非可融要素で構成することができることは、認識されるべきである。
【００１８】
[0037]例証された実施例にしたがって、第２電気コネクタ２００の電気接点２０４は、同一の結合端部２１６と、設置端部２１８と、先端２２０と、ハンダボール２２２とを有する第１電気コネクタ１００の電気接点１０４に関して同一に構築することができる。したがって、電気接点２０４の設置接点２１８は、第２電気コネクタ２００が、補完的な電気部品、例えば上述したような第２プリント回路基板２０９に設置することができるように構成することができる。例えば、例証された実施例にしたがって、各電気接点２０４の設置端部は、例えば設置端部２１８に融合される、接点本体２０５の設置端部２１８に配置されるハンダボール２２２のような可融要素を有することができる。ハンダボール２２２は、電気接点２０４の接点本体と一体でかつ単一体であることができ、または、個別になることができ、かつ設置端部２１８に取付けることができる。ハンダボール２２２は、すべてハンダリフロープロセスが完成する前、および後に、設置インターフェース２０８に沿う相互との共通平面になることができる。第２プリント回路基板２０９に第２電気コネクタ２００を配置し、第２電気コネクタ２００および第２プリント回路基板２０９をそれによってハンダボールがそれぞれのプリント回路基板の電気導体接点パッドに融合するハンダリフロープロセスにさらすことにより、対応する電気接点、例えば第１プリント回路基板の電気伝導性の導体パッドに例えば電気接点２９４のハンダボール２２２を設置することができることが認識されるべきである。電気接点２０４は、例証された設置端部２１８に限定されることなく、かつ、設置端部２１８は、代りに第２プリント回路基板の補完的なバイアに挿入されるように構成される、圧力嵌め設置尾部のように任意の他の適切な可溶性、または望まれるような非可融要素で構成することができることが認識されるべきである。第１電気コネクタ１００の設置端部のすべてのハンダボール１２２は、ハンダボール１２２が、第１電気コネクタ１００を第１プリント回路基板に設置するように第１プリント回路基板にリフローされる前、および、後の両方に、第１平面と相互に共通平面(coplanar)である。同様に、第２電気コネクタ２００の設置端部でハンダボール２２２のすべては、ハンダボール２２２が、第２プリント回路基板に第２電気コネクタ２００を設置するように、第２プリント回路基板にリフローされる前、および後の両方で、相互に第２平面において共通平面である。
【００１９】
[0038]例証された実施例にしたがって、第１電気コネクタ１００の電気接点１０４の第１アレイ１０２の電気接点１０４は、横断方向Ｔに沿ってほぼコネクタハウジング１１２によって支持され、それは、少なくとも部分的に結合端部１１６が、ハウジング本体１１４の内側端部１１４ｅから突出し、かつ、少なくとも部分的に設置端部１１８が、ハウジング本体１１４の外側端部１１４ｆから突出するようなものである。同様に、第２電気コネクタ２００の電気接点２０４の第２アレイ２０２の電気接点２０４は、横断方向Ｔに沿ってコネクタハウジング２１２によって支持され、それは、結合端部２１６が少なくとも部分的にハウジング本体２１４の内側端部２１４ｅから突出し、かつ、設置端部２１８が少なくとも部分的にハウジング本体２１４の外側端部２１４ｆから突出するようなものである。
【００２０】
[0039]さらに、例証された実施例にしたがって、電気接点１０４の第１アレイ１０２の電気接点１０４は、長手方向Ｌによって画定することができる横列方向Ｒに沿って延びる複数の横列のような少なくとも２つ内に、そして、横方向Ａによって画定することができる縦列方向Ｃに沿って横列にほぼ垂直に延びる複数の縦列のような少なくとも２つ内に配置される。例証されるように、各横列または電気接点１０４は、電気接点１０４のすべての縦列と交差することができ、さらに、電気接点の各縦列は、電気接点１０４のすべての横列と交差することができる。この点では、電気接点１０４の少なくとも２つの横列のそれぞれが、電気接点１０４の少なくとも２つの縦列のそれぞれと交差するということができる。同様に、第２電気コネクタ２００の電気接点２０４の第２アレイ２０２の電気接点２０４は、第１電気コネクタ１００のそれらと同一である横列および縦列内に配置することができる。
【００２１】
[0040]さらに、例証された実施例にしたがって、電気接点１０４の第１アレイ１０２の電気接点１０４は、長手方向Ｌによって画定することができる横列方向Ｒに沿って延びる複数の横列のような少なくとも２つ内に、そして、横方向Ａによって画定することができる横列方向Ｃに沿う横列にほぼ垂直に延びる複数の縦列のような少なくとも２つ内に配置される。例証されるように、各横列または電気接点１０４は、電気接点１０４のすべての縦列と交差することができ、さらに、電気接点の各縦列は、電気接点１０４のすべての横列と交差することができる。この点では、電気接点１０４の少なくとも２つの横列のそれぞれが、電気接点１０４の少なくとも２つの縦列のそれぞれと交差すると言うことができる。同様に、例証された実施例にしたがって、電気接点２０４の第２アレイ２０２の電気接点２０４は、長手方向Ｌによって画定することができる横列方向Ｒに沿って延びる複数の横列のように少なくとも２つ内に、そして、横方向Ａによって画定することができる縦列方向Ｃに沿って横列にほぼ垂直に延びる複数の縦列のように少なくとも２つ内に配置される。例証されたように、各横列または電気接点２０４は、電気接点２０４のすべての縦列と交差することができ、さらに、電気接点の各縦列は、電気接点２０４のすべての横列と交差することができる。この点では、電気接点２０４の少なくとも２つの横列のそれぞれが、電気接点２０４の少なくとも２つの縦列のそれぞれと交差すると言うことができる。
【００２２】
[0041]例証された実施例にしたがって、第１電気コネクタ１００の電気接点１０４の第１アレイ１０２は、縦列方向Ｃに沿って一定の間隔を置かれた電気接点１０４の１０の横列、および、横列方向Ｒに沿って一定の間隔を置かれた電気接点１０４の１０の縦列を有する。同様に、第２電気コネクタ２００の電気接点２０４の第２アレイ２０２は、縦列方向Ｃに沿って一定の間隔を置かれた電気接点２０４の１０の横列、および、横列方向Ｒに沿って一定の間隔を置かれた電気接点２０４の１０の縦列を有する。この点では、第１および第２電気コネクタ１００および２００の電気接点の第１および第２アレイ１０２および２０２は、アレイ１０２および２０２の各縦列および横列が、それぞれ、１０の電気接点１０４および２０４を有することを意味して、電気接点の１０バイ１０(１０×１０)アレイと呼ぶことができる。しかしながら、第１および第２電気コネクタ１００および２００が、電気接点の例証されたアレイに限定されないこと、および、第１および第２アレイ１０２および２０２が、望まれるように代りに構成することができることが認識されるべきである。例えば、第１および第２電気コネクタ１００および２００の第１および第２アレイ１０２および２０２は、それぞれに、縦列方向Ｃに沿って別々に間隔を置かれる電気接点の９つの横列、および、横列方向Ｒに沿って別々に一定の間隔を置かれる電気接点の９つの縦列として有する電気接点の９バイ９(９×９)のアレイで、および横列方向Ｒに沿って別々に一定間隔を置かれる電気接点の１１の縦列、および、縦列方向Ｃ(図４−５参照)に沿って一定間隔を置かれた電気接点の１０の横列、または、望まれるような電気接点の任意の他の適切に寸法採りされたアレイを有する電気接点の１０バイ１１(１１×１０)のアレイとして構築することができる。
[0042]図１−２および３Ａ−３Ｂの継続的な参照によって、第１電気コネクタ１００は、横断方向Ｔに沿ったハウジング本体１１４に延びる複数のポケット１２４を画定することができる。例えば、ポケット１２４は、内側端部１１４ｅに向かう横断方向Ｔに沿ってコネクタハウジング１１２の外側端部１１４ｆのハウジング本体１１４に延びることができる。接点本体１０５の対向する設置端部１１８は、ポケット１２４に延びることができる。ポケット１２４のそれぞれは、少なくとも部分的に電気接点１０４のハンダボール１２２のそれぞれの１つを受けるように構成することができる。したがって、電気接点１０４のそれぞれの設置端部であって、それは、接点本体１０５の設置端部１１８を有することができ、さらに、それぞれのハンダボール１２２は、少なくとも部分的にポケット１２４に配置することができる。したがって、電気接点１０４の第１アレイ１０２が、コネクタハウジング１１２によって支持される場合、各ハンダボール１２２は、少なくとも複数のポケット１２４のそれぞれの１つに、ハウジング本体１１４の外側端部１１４ｆに関して部分的に凹所に置かれる。この点では、電気接点１０４の第１アレイ１０２のハンダボール１２２が、ハウジング本体１１４の外側端部１１４ｆに関して外方に突出すると言うことができる。
【００２３】
[0043]コネクタハウジング１１２は、さらに横断方向Ｔに沿ってコネクタハウジング１１２のハウジング本体１１４の内側端部１１４ｅに延びる複数の穴（cavity）１２６を画定することができる。各穴１２６は、横断方向Ｔに沿った複数のポケット１２４のそれぞれの１つとほぼ整列され、かつそれぞれの１つから一定間隔で配置することができ、さらに電気接点１０４の結合端部１１６のそれぞれのものを少なくとも部分的に受けるように構成することができ、それは、電気接点１０４の第１アレイ１０２がコネクタハウジング１１２に支持される場合、各電気接点１０４の結合端部１１６は、ハウジング本体１１４の内側端部１１４ｅに関して外方に突出する。各穴１２６は、少なくとも部分的に複数の内部壁によって画定することができるようなものである。各穴１２６の内部壁のそれぞれのように、少なくとも１つの一部は、横断方向Ｔに関して角度をなして偏倚することができ、それは、横断面の寸法、例えば長手方向Ｌおよび横方向Ａによって画定される平面で測定される穴１２６の領域が、ハウジング本体１１４の内側端部１１４ｅで最大であり、さらにハウジング本体１１４の外側端部１１４ｆに向かって横断方向Ｔに沿った距離で減少するようなものである。この点では、各穴１２６が、ハウジング本体１１４の内側端部１１４ｅで先細の開口を画定すると言うことができる。穴１２６の内部壁は、より詳細に以下に記述されるように、第１および第２電気コネクタ１００および２００が、相互に結合する場合に、穴１２６内の電気接点１０４のレセプタクル結合端部１１６の撓みを考慮に入れるように先細であることができる。コネクタハウジング１１２は、さらに、横断方向Ｔに垂直である方向に沿って相互から一定間隔で配置される第１および第２保持リブ１２４ａおよび１２４ｂを画定するように、横断方向Ｔに沿ったハウジング本体１１４を介して延びる保持開口１２４ｃを有することができる。例えば、垂直の方向は、長手方向Ｌに沿うことができる。１つの実施例にしたがって、保持開口１２４ｃは、先端部分１１９の寸法と等しいか、またはそれより小さい寸法を有することができる。したがって、例えば、側面部での先端部分１１９は、接点本体１０５とハウジング本体１１４との間の機械的障害が、さらに、挿入方角に電気接点１０４のさらなる挿入を防止するまで、保持開口１２４ｃ内に圧力嵌めされるので、設置端部１１８は、横断方向Ｔに沿った挿入方向に保持開口１２４ｃに挿入することができる。横断方向Ｔに沿った挿入方向に対向する除去方向にコネクタハウジング１１２からの電気接点１０４の除去を防止するために、ハンダボール１２２は、それぞれの設置端部１１８に取付けられるときに、接点本体１０５に機械的に阻止することができる。第１および第２保持リブ１２４ａおよび１２４ｃのそれぞれは、０.０２ｍｍおよび０.１５ｍｍからである横断方向Ｔにおけるそれぞれの第１高さＨ１および第２高さＨ２を画定することができる。第１および第２高さＨ１およびＨ２は、相互に等しいか、あるいは相互とは異なることができる。例えば、１つの実施例にしたがって、Ｈ１が０.０４ｍｍであることができる第１高さおよび第２高さにしたがって、Ｈ２は０.０８ｍｍで��ることができる。
【００２４】
[0044]第２電気コネクタ２００のコネクタハウジング２１２のハウジング本体２１４は、第１電気コネクタ１００のコネクタハウジング１１２のハウジング本体１１４とほぼ同一に構成することができる。したがって、コネクタハウジング２１２は、横断方向Ｔに沿ったハウジング本体２１４に延びる複数のポケット２２４を画定することができる。例えば、ポケット２２４は、内側端部２１４ｅに向かって横断方向Ｔに沿ったハウジング本体２１４の外側端部２１４ｆに延びることができる。接点本体２０５の対向する設置端部２１８は、ポケット２２４内に延びることができる。ポケット２２４のそれぞれは、少なくとも部分的にハンダボール２２２のそれぞれの１つを受けるように構成することができる。したがって、電気接点２０４のそれぞれの設置端部であって、電気接点２０４は、接点本体２０５およびそれぞれのハンダボール２２２の設置端部２１８を有することができるものが、少なくとも部分的にそれぞれのポケット２２４に配置することができる。したがって、電気接点１０４の第２アレイ２０２が、コネクタハウジング２１２によって支持される場合、各ハンダボール２２２は、複数のポケット２２４のそれぞれの１つに、ハウジング本体２１４の外側端部２１４ｆに関して少なくとも部分的に凹所に置かれる。この点では、電気接点２０４の第２アレイ２０２のハンダボール２２２が、ハウジング本体２１４の外側端部２１４ｆに関して外方に突出すると言うことができる。
【００２５】
[0045]コネクタハウジング２１２は、さらに横断方向Ｔに沿ったハウジング本体２１４の内側端部２１４ｅに延びる複数の穴２２６を画定することができる。各穴２２６は、横断方向Ｔに沿った複数のポケット２２４のそれぞれの１つとほぼ整列することができ、かつそれから一定間隔で配置することができ、さらに、少なくとも部分的に電気接点２０４の結合端部２１６のそれぞれの１つを受けるように構成することができ、それは、電気接点２０４の第２アレイ２０２が、コネクタハウジング２１２によって支持される場合、各電気接点２０４の結合端部２１６が、ハウジング本体２１４の内側端部２１４ｅに関して外方に突出するようなものある。各穴２２６は、複数の内部壁を有することができる。各穴２２６の内部壁のそれぞれのような、少なくとも１つの一部は、角度をなして横断方向Ｔに関して偏倚することができ、それは、横断面の寸法、例えば長手方向Ｌおよび横方向Ａによって画定される平面で測定される穴２２６の領域が、ハウジング本体２１４の内側端部２１４ｅで最大であり、さらにハウジング本体２１４の外側端部２１４ｆに向かって横断方向Ｔに沿った距離で減少するようなものである。この点では、各穴２２６がハウジング本体２１４の内側端部２１４ｅでそれぞれ先細の開口を画定すると言うことができる。穴２２６の内部壁は、より詳細には以下に記述されるように、第１および第２電気コネクタ１００および２００が相互に結合する場合に、穴２２６内の電気接点２０４のレセプタクル結合端部２１６の偏倚を考慮に入れるように先細であることができる。コネクタハウジング２１２は、さらに、横断方向Ｔに垂直である方向に沿って相互から一定間隔で配置される第１および第２保持リブ２２４ａおよび２２４ｂを画定するように、横断方向Ｔに沿ったハウジング本体２１４を介して延びる保持開口２２４ｃを有することができる。例えば、垂直の方向は、長手方向Ｌに沿っていることができる。１つの実施例にしたがって、保持開口２２４ｃは、先端部分２１９の寸法にほぼ等しいか、またはそれより小さい寸法を有することができる。したがって、例えば側面部での先端部分２１９が、接点本体２０５とハウジング本体２１４との間の機械的な阻止が、挿入方向に沿ってコネクタハウジング２１２への電気接点２０４のさらなる挿入を防止するまで、保持開口２２４ｃに圧力嵌めされるように、設置端部２１８は、横断方向Ｔに沿った挿入方向に保持開口２２４ｃに挿入することができる。ハンダボール２２２は、それぞれの設置端部２１８に取付けられたときに、横断方向Ｔに沿った挿入方向に対向する除去方向におけるコネクタハウジング２１２からの電気接点２０４の除去を防止するように、接点本体２０５によって機械的に阻止することができる。第１および第２保持リブ２２４ａおよび２２４ｃのそれぞれは、０.０２ｍｍおよび０．１５ｍｍからである横断方向Ｔにおいてそれぞれの第１高さＨ１および第２高さＨ２を画定することができる。第１および第２高さＨ１およびＨ２は、相互に等しいことができ、相互とは異なることができる。例えば、１つの実施例にしたがって、第１高さＨ１は、０.０４ｍｍであることができ、さらに第２高さＨ２は、０.０８ｍｍであることができる。
【００２６】
[0046]第１電気コネクタ１００は、さらに、第２電気コネクタ２００の補完的な整列部材と係合するように構成された少なくとも１つの整列部材を有する。例えば、第１電気コネクタ１００は、内部の整列部材１１０が電気接点１０４の第１アレイ１０２に配置されるようなコネクタハウジング１１２によって支持される、内部の整列部材１１０のような、少なくとも１つの整列部材を有することができる。内部の整列部材１１０は、内部の整列部材１１０が、第１アレイ１０２の少なくとも２つの横列間に配置され、そしてさらに第１アレイ１０２の電気接点１０４の少なくとも２つの縦列の間に配置されるような、電気接点１０４の第１アレイ１０２に配置することができる。例えば、内部の整列部材１１０は、内部の整列部材１１０の外部周囲が、電気接点１０４の少なくとも２横列の電気接点１０４のそれぞれのもの、および、少なくとも２つの縦列の電気接点１０４のそれぞれのものによってすべての側部においてほぼ四方に囲まれるような電気接点１０４の第１アレイ１０２に配置することができる。
【００２７】
[0047]内部の整列部材１１０は、望まれるような任意の構造で構成することができる。例えば、例証された内部の整列部材１１０は、長手方向Ｌに沿って一定間隔を置かれる、対向する第１および第２側部１２８ａおよび１２８ｂ、および、横方向Ａに沿って一定間隔を置かれる、対向する第３および第４側部１２８ｃおよび１２８ｄを画定する基礎１２８を有する。基礎１２８は、例えば、内側端部１１４ｅおよび外側端部１１４ｆによって画定されるように、ハウジング本体の高さとほぼ等しい横断方向に沿う高さを画定することができる。例証された実施例にしたがって、基礎１２８、およびしたがって内部の整列部材１１０は、コネクタハウジング１１２のハウジング本体１１４と一体で、単一体である。代りに、内部の整列部材１１０は、ハウジング本体１１４に個別であり、さらに取付け可能であることができる。それぞれ基礎１２８の第１から第４側部１２８ａ−１２８ｄは、内部の整列部材１１０の外部周囲を集合的に画定することができる。この点に関して、内部の整列部材１１０は、内部の整列部材１１０の外部周囲、例えば、基礎１２８の外部周囲が、電気接点１０４の第１アレイ１０２のそれぞれの電気接点１０４によって、ほぼ囲まれるように、電気接点１０４の第１アレイ１０２に配置される。
【００２８】
[0048]例証された実施例にしたがって、内部の整列部材１１０は、内部の整列部材１１０が、第１アレイ１０２の、およびさらにはコネクタハウジング１１２のほぼ幾何学的な中心に配置されるような電気接点１０４の第１アレイ１０２に配置される。例えば、基礎１２８の第１側部１２８ａとハウジング本体１１４の第１側部１１４ａとの間の長手方向Ｌに沿った第１距離は、基礎１２８の第２側部１２８ｂとハウジング本体１１４の第２側部１１４ａとの間の長手方向Ｌとほぼ等しくなることができ、さらに、基礎１２８の第３側部１２８ｃとハウジング本体１１４の第３側部１１４ｃとの間の横方向Ａに沿った第３距離は、基礎１２８の第４側部１２８ｄとハウジング本体１１４の第４側部１１４ｄとの間の横方向Ａに沿った第４距離とほぼ等しくなることができる。第１電気コネクタ１００が、内部の整列部材１１０の例証された位置に限定されないこと、さらには、内部の整列部材１１０が、代りに、電気接点１０４、例えば、内部の整列部材１１０の基礎１２８の外部周囲が、第１アレイ１０２のそれぞれの電気接点１０４によってすべての側面に置かれるように、電気接点１０４の第１アレイ１０２内の任意の他の位置に配置することができることは、認識されるべきである。さらに、第１および第２電気コネクタ１００および２００は、１つ以上の内部の整列部材を有することができる。
【００２９】
[0049]さらに、例証された実施例にしたがって、内部の整列部材１１０は、ポスト１３０、および、長手方向Ｌに沿ったポスト１３０に隣接して配置され、かつポスト１３０から一定間隔で配置されるレセプタクル１３２を有する２つの部分の整列部材であることができる。ポスト１３０は、ポスト１３０を支持する基礎１２８の第１部分に関して、横断方向Ｔに沿って外方に突出する。レセプタクル１３２は、レセプタクル１３２を支持する基礎１２８の第２部分に関して、横断方向Ｔに沿って、外方に突出するブロック１３４を有する。ポスト１３０およびブロック１３４は、ほぼ等しくなりことができるハウジング本体１１４の内側端部１１４ｅからのそれぞれの距離に対して基礎に関して外方に突出することができる。基礎１２８の第１部分は、ハウジング本体１１４の内側端部１１４ｅに関して窪んでいることができ、それは、第１および第２電気コネクタ１００および２００が結合するときに、より詳細には以下に記述されるように、第２電気コネクタ２００の補完的なレセプタクルの少なくとも一部分が、基礎１２８の窪んだ部分に受けられるようなものである。
【００３０】
[0050]ブロック１３４は、横断方向Ｔに沿ってブロックに延びる穴１３６を画定することができる。例証されたポスト１３０および穴１３６は、ハウジング本体１１４のそれぞれの側部から等しく一定間隔を置かれることができる。例えば、例証された実施例にしたがって、横断方向Ｔとほぼ平行に延びるポスト１３０の第１中心軸は、ハウジング本体１１４の第１側部１１４ａから第１距離、一定間隔で配置され、さらに、横断方向Ｔとほぼ平行に延びる穴１３６の第２中心軸は、ポスト１３０とハウジング本体１１４の第１側部１１４ａの間の第１距離とほぼ等しい、第２距離、ハウジング本体１１４の第２側部１１４ｂから一定間隔で配置される。さらに、しかしながら第１および第２中心軸は、ハウジング本体１１４の第３および第４側部１１４ｃおよび１１４dの間でそれぞれにほぼ等距離で間隔を置かれ、それは、ポスト１３０および穴１３６が、長手方向Ｌに沿って相互とほぼ整列されるようなものである。
【００３１】
[0051]同様に、第２電気コネクタ２００は、さらに、第１電気コネクタ１００の内部の整列部材１１０と係合するように構成される内部の整列部材２１０のような、少なくとも１つの整列部材を有することができる。内部の整列部材２１０は、内部の整列部材２１０が、電気接点２０４の第２アレイ２０２に配置されるようなコネクタハウジング２１２によって支持される。内部の整列部材２１０は、内部の整列部材２１０が、第２アレイ２０２の電気接点２０４の少なくとも２つの横列間に配置し、さらに、第２アレイ２０２の電気接点２０４の少なくとも２つの縦列間に配置するような電気接点２０４の第２アレイに配置することができる。例えば、内部の整列部材２１０は、内部の整列部材２１０の外部周囲が、電気接点２０４の少なくとも２つの横列の、さらには電気接点２０４の少なくとも２つの縦列の電気接点２０４のそれぞれのものによってすべての側部をほぼ取り囲まれるような電気接点２０４の第２アレイ２０２に配置することができる。
【００３２】
[0052]内部の整列部材２１０は、望まれるような任意の構造で構成することができる。例えば、例証された内部の整列部材２１０は、長手方向Ｌに沿って一定間隔を置かれる対向する第１および第２側部２２８ａおよび２２８ｂ、さらには、横方向Ａに沿って一定間隔を置かれる対向する第３および第４側部２２８ｃおよび２２８ｄを画定する基礎２２８を有する。基礎２２８は、例えば、内側端部２１４ｅおよび外側端部２１４ｆによって画定されるように、ハウジング本体の高さとほぼ等しい横断方向に沿った高さを画定することができる。例証された実施例にしたがって、基礎２２８、およびしたがって内部の整列部材２１０は、コネクタハウジング２１２のハウジング本体２１４と一体で、かつ、単一体である。代りに、内部の整列部材２１０は、ハウジング本体２１４に個別であり、取り付け可能であることができる。基礎２２８の第１から第４側部２２８ａ−１２８ｄは、それぞれに、内部の整列部材２１０の外部周囲を集合的に画定することができる。この点に関して、内部の整列部材２１０は、内部の整列部材２１０の外部周囲、例えば、基礎２２８の外部周囲が、電気接点２０４の第２アレイ２０２のそれぞれの電気接点２０４によってほぼ取り囲まれるように、電気接点１０４の第２アレイ２０２に配置されることはということ言うことができる。
【００３３】
[0053]例証された実施例にしたがって、内部の整列部材２１０は、内部の整列部材２１０が、第２アレイ２０２、およびさらにコネクタハウジング２１２のほぼ幾何学的な中心に配置されるように、電気接点２０４の第２アレイ２０２に配置される。例えば、基礎２２８の第１側部２２８ａとハウジング本体２１４の第１側部２１４ａとの間の長手方向Ｌに沿った第１距離は、基礎２２８の第２側部２２８ｂとハウジング本体２１４の第２側部２１４ａとの間の長手方向Ｌに沿った第２距離とほぼ等しくなることができ、さらに、基礎２２８の第３側部２２８ｃとハウジング本体２１４の第３側部２１４ｃとの間の横方向Ａに沿った第３距離は、基礎２２８の第４側部２２８ｄとハウジング本体２１４の第４側部２１４ｄとの間の横方向Ａに沿った第４距離とほぼ等しくなることができる。第２電気コネクタ２００は内部の整列部材２１０の例証された位置に限定されないこと、さらに、内部の整列部材２１０は、代りに、例えば内部の整列部材２１０の基礎２２８の外部周囲が、第２アレイ２０２のそれぞれの電気接点２０４によってすべての側面に置かれるような電気接点２０４の第２アレイ２０２内の任意の他の位置に配置することができることが認識されるべきである。さらに、第１および第２電気コネクタ１００および２００は、１つを超える内部の整列部材を有することができる。
【００３４】
[0054]さらに、例証された実施例にしたがって、内部の整列部材２１０は、ポスト２３０、および、長手方向Ｌに沿ったポスト２３０に隣接し、かつポストから一定間隔をもって配置されるレセプタクル２３２を有する２つの部分整列部材であることができる。ポスト２３０は、ポスト２３０を支持する基礎２２８の第１部分に関して、横断方向Ｔに沿って、外方に突出する。レセプタクル２３２は、このレセプタクル２３２を支持する基礎２２８の第２部分に関して、横断方向Ｔに沿って、外方に突出するブロック２３４を有する。ポスト２３０およびブロック２３４は、ほぼ等しくなり得るハウジング本体２１４の内側端部２１４ｅからそれぞれの距離までの基礎に関して外方に突出することができる。基礎２２８の第１部分は、ハウジング本体２１４の内側端部２１４ｅに関して窪むことができ、それは、第１および第２電気コネクタ１００および２００が結合するとき、より詳細には以下に記述されるように、第１電気コネクタ１００の補完的なレセプタクルの少なくとも一部分が、基礎２２８の窪んだ部分に受けられるようなものである。
【００３５】
[0055]ブロック２３４は、横断方向Ｔに沿ってブロックに延びる穴２３６を画定することができる。例証されたポスト２３０および穴２３６は、ハウジング本体２１４のそれぞれの側部から均等に離間することができる。例えば、例証された実施例にしたがって、横断方向Ｔにほぼ平行に延びるポスト２３０の第１中心軸は、ハウジング本体２１４の第１側部２１４ａから一定間隔で配置され、横断方向Ｔとほぼ平行に延びる穴２３６の第１距離および第２中心軸は、ポスト２３０とハウジング本体２１４の第１側部２１４ａとの間の第１距離とほぼ等しい第２距離、ハウジング本体２１４の第２側部２１４ｂから離れて配置される。さらに、しかしながら第１および第２中心軸は、それぞれ、ハウジング本体２１４の第３および第４側部２１４ｃおよび２１４ｄの間でほぼ等距離で間隔を置かれ、それは、ポスト２３０および穴２３６が、長手方向Ｌに沿って相互にほぼ整列される。
【００３６】
[0056]ブロック１３４は、さらに、内部の整列部材２１０のポストを穴１３６内に案内するように構成される第１傾斜した表面１３８を画定し、かつ依然として、さらに、より詳細には以下に記述されるように、レセプタクル１３２がレセプタクル２３２を摺動して通り過ぎるように、レセプタクル２３２を案内するように構成されるように第２傾斜した表面２４０を画定する。穴１３６は、穴１３６内に摺動可能な係合でポスト２３０を受けるように寸法採りされる。同様に、ブロック２３４は、さらに、内部の整列部材１１０のポストを穴２３６内に案内するように構成される第１傾斜した表面２３８を画定することができ、かつ、さらに、依然として、より詳細に以下に記述されるように、レセプタクル１３２が、レセプタクル２３２を摺動して過ぎるように、レセプタクル１３２を案内するように構成される第２傾斜した表面２４０を画定することができる。穴２３６は、この穴２３６内に摺動可能な係合にポスト１３０を受けるように寸法採りされる。第１および第２電気コネクタ１００および２００が、例証された内部の整列部材に限定されないこと、および、第１および第２電気コネクタ１００および２００は、代りに、望まれるような任意の他の適切な補完的な整列部材と係合することができることは認識されるべきである。
【００３７】
[0057]電気コネクタ１００は、さらに、外部の整列部材を画定することができる少なくとも１つの整列部材を有し、それは第２電気コネクタ２００の補完的な外部の整列部材と係合するように構成される。例えば、第１電気コネクタ１００は、それぞれに第１から第４側部１１４ａ−１１４ｄのそれぞれの部分に沿った、横方向Ａおよび長手方向Ｌの一方または両方に沿ったハウジング本体１１４の外側寄りに配置される複数の側壁１４２のような少なくとも１つの外部の整列部材を有することができ、かつ、横断方向Ｔに沿ってハウジング本体１１４の内側端部１１４ｅに関して外方に、および外側端部１１４ｆから離れて延びることができる。したがって、側壁１４２は、ハウジング本体１１４によって支持され、かつ、電気接点１０４の第１アレイ１０２に配置されない。側壁１４２は、ハウジング本体１１４と単一体であることができ、またはそうでなければ、ハウジング本体１１４に取付けられることができる。例証された実施例にしたがって、第１電気コネクタ１００は、第１対１４２ａおよび対向する第２対１４２ｂを有する２対の側壁１４２を有する。この点では、ハウジング本体１１４の第１から第４側部１１４ａ−１１４ｄは、ハウジング本体１１４の外部周囲を画定し、かつ、コネクタハウジング１１２は、さらに、ハウジング本体１１４の周囲の一部に沿ってハウジング本体１１４から突出する少なくとも２分の１の、または、外部の整列部材を有すると言うことができる。
【００３８】
[0058]側壁１４２の第１対１４２ａは、ハウジング本体１１４の第３側部１１４ｃと第４側部１１４ｄとの間に、例えばほぼ等距離にある第１側部１１４ａに沿う位置に対する第１側部１１４ａおよび第４側部１１４ｄの交差によって画定されるハウジング本体１１４の角部から延びる第１側壁１４２を有し、さらに、例えばハウジング本体１１４の第１側部１１４ａと第２側部１１４ｂとの間に、例えばほぼ等距離にある第４側部１１４ｄに沿う位置に対する第１側部１１４ａおよび第４側部１１４ｄの交差によって画定されるハウジング本体１１４の角部から延びる第２側壁１４２を有する。
【００３９】
[0059]同様に、側壁１４２の第２対１４２ｂは、ハウジング本体１１４の第１側部１１４ａと第２側部１１４ｂとの間に、例えばほぼ等距離にある第３側部１１４ｃに沿う位置に対する第２側部１１４ｂおよび第３側部１１４ｃの交差によって画定されるハウジング本体１１４の角部から延びる第３側壁１４２を有し、さらに、例えばハウジング本体１１４の第３側部１１４ｃと第４側部１１４ｄとの間に、例えばほぼ等距離にある第２側部１１４ｂに沿う位置に対する第２側部１１４ｂおよび第３側部１１４ｃの交差によって画定されるハウジング本体１１４の角部から延びる第４側部１４２ｄを有する。第１および第２対１４２ａおよび１４２ｂの第１から第４側壁１４２は、長手方向Ｌまたは横方向Ａに沿うそれぞれの長さの全体のような部分に沿う傾斜した内部の端縁１４４を画定することができる。
【００４０】
[0060]同様に、第２電気コネクタ２００は、さらに、外部の整列部材を画定することができる少なくとも１つの外部の整列部材を有することができ、この外部の整列部材は、第１電気コネクタ１００の外部の整列部材と係合するように構成される。例えば、第２電気コネクタ２００は、それぞれに、第１から第４側部２１４ａ−２１４ｄのそれぞれの部分に沿った横方向Ａおよび長手方向Ｌの一方または両方に沿ってハウジング本体２１４の外側端に配置される複数の側壁２４２のような少なくとも１つの外部整列部材を有することができ、さらに、ハウジング本体２１４の内側端部２１４ｅに関して外方に、かつ横断方向に沿う外側端部２１４ｆから離れて突出する。したがって、側壁２４２は、ハウジング本体２１４によって支持され、かつ、電気接点２０４の第２アレイ２０２には配置されない。側壁２４２は、ハウジング本体２１４と一体であることができ、またはそうでなければ、ハウジング本体２１４に取付けることができる。例証された実施例にしたがって、第２電気コネクタ２００は、第１対２４２ａおよび対向する第２対２４２ｂを有する、２対の側壁２４２を有する。この点では、ハウジング本体２１４の第１から第４側部２１４ａ−２１４ｄが、ハウジング本体２１４の外部周囲を画定し、かつ、コネクタハウジング２１２が、さらに、ハウジング本体２１４の周囲の一部に沿うハウジング本体２１４から突出する少なくとも２分の１の、または、外部の整列部材を有すると言うことができる。
【００４１】
[0061]側壁２４２の第１対２４２ａは、間、例えば、ハウジング本体２１４の第３側部２１４ｄおよび第４側部２１４ｄの間でほぼ等距離である第１側部２１４ａに沿う位置に対する第１側部２１４ａおよび第４側部２１４ｄの交差によって画定されるハウジング本体２１４の角部から延びる第１側壁２４２を有し、さらに、間、例えば、ハウジング本体２１４の第１側部２１４ａと第２側部２１４ｂとの間でほぼ等距離である第４側部２１４ｄに沿う位置に対する、第１側部２１４ａおよび第４側部２１４ｄの交差によって画定されるハウジング本体２１４の角部から延びる第２側壁２４２を有する。
【００４２】
[0062]同様に、側壁２４２の第２対２４２ｂは、間、例えばほぼ等距離でハウジング本体２１４の第１側部２１４ａおよび第２側２１４ｂの間にある第３側部に沿う位置に対する第２側部２１４ｂおよび第３側部２１４ｃの交差によって画定する第３側壁２４２ｃ、および、ハウジング本体２１４の第３側部２１４ｃおよび第４側部２１４ｄのほぼ等距離で間にある第２側部２１４ｂに沿う位置に対する第２側部２１４ｂおよび第３側部の交差によって画定されるハウジング本体２１４の角部から延びる第４側壁２４２を有する。第１および第２対２４２ａおよび２４２ｂの第１から第４側壁２４２は、長手方向Ｌまたは横方向Ａに沿うそれぞれの長さの全体のようなものの一部に沿って、傾斜した内部の端縁２４４を画定することができる。
【００４３】
[0063]第１および第２電気コネクタ１００および２００は、相互に結合するときに、第２電気コネクタ２００の側壁のそれぞれのものは、第１電気コネクタ１００の側壁１４２の対応するものに隣接して配置される。第２電気コネクタ２００の側壁１４２および補完的な側壁２４２は、それぞれのコネクタハウジング１１２および２１２、およびしたがって、相互に関連してそれぞれの電気接点１０４および２０４を整列させるために作動することができる。評価される、第１および第２電気コネクタ１００および２００のそれぞれの外部の整列部材は、協力的に作動することができ、または、第１および第２電気コネクタ１００および２００の結合の間の第１および第２電気コネクタ１００および２００の内部の整列部材１１０および２１０と離れている例えば、第１および第２電気コネクタ１００および２００のそれぞれの外部の整列部材は、内部の整列部材１１０および２１０のそれより前に、後に、またはほぼ、同時に作動することができる。
【００４４】
[0064]図１−２および３Ａ−３Ｂに対する継続的な参照によって、電気接点１０４の第１アレイ１０２の電気接点１０４は、電気接点１０４のそれぞれのものが、ハウジング本体１１４の第１側部１１４ａ、またはハウジング本体１１４の第２側部１１４ｂのいずれかの方に向かって方向付けされるようなコネクタハウジング１１２によって支持することができる。例えば、電気接点１０４の第２アレイ１０２の選択した電気接点１０４の先端１２０は、ハウジング本体１１４の第１側部１１４ａに面し、かつ、電気接点１０４の第１アレイ１０２の他の選択した電気接点１０４の先端１２０は、ハウジング本体１１４の第２側部１１４ｂに面する。例証された実施例にしたがって、各縦列内の電気接点１０４の先端１２０は、縦列に沿って交替するパターンにおいて方向付けされる。したがって、縦列方向に沿って相互に隣接し、(その結果、追加の電気接点が横列方向に沿って隣接した電気接点間で配置されない)第１対の電気接点１０４の先端１２０、およびしたがって結合端部１１６の湾曲は、相互から離れて面することができる。さらに、縦列方向に沿って相互に隣接し、(その結果、追加の電気接点が横列方向に沿って隣接した電気接点間で配置されない)第２対の電気接点１０４の先端１２０、およびしたがって結合端部１１６の湾曲は、相互に向かって面することができる。第１対および第２対は、共通の電気接点を共有することができる。先端１２０の湾曲は、各横列を横切って同一方向に沿って方向付けることができる。
【００４５】
[0065]他の選択された電気接点１０４が、第２側部１１４ｂに面する一方で、選択された電気接点１０４が、ハウジング本体１１４の第１側部１１４ａに面するように、電気接点１０４の第１アレイ１０２の方向付けは、相互にほぼ相殺するために電気接点１０４および２０４の結合端部１１６および２１６によって生成される垂直力を考慮に入れ、それによって、第１および第２電気コネクタ１００および２００が結合するので、第１および第２電気コネクタ１００および２００のそれぞれの電気接点１０４および２０４に相互に関する整列外に、バイアスをかけることができる力を緩和する。
【００４６】
[0066]同様に、図１−２および３Ａ−３Ｂの継続的な参照で、電気接点２０４の第２アレイ２０２の電気接点２０４は、電気接点２０４のそれぞれのものがハウジング本体２１４の第１側部２１４ａまたはハウジング本体２１４の第２側部２１４ｂのいずれか一方に向かって方向付けするように、コネクタハウジング２１２によって支持することができる。例えば、電気接点２０４の第２アレイ２０２の選択した電気接点２０４の先端２２０は、ハウジング本体２１４の第１側部２１４ａに面し、さらに、電気接点２０４の第２アレイ２０２の電気接点２０４の他の選択された電気接点２０４の先端２２０は、ハウジング本体２１４の第２側部２１４ｂに面する。例証された実施例にしたがって、各縦列内の電気接点２０４の先端２２０は、縦列に沿って交替するパターンにおいて方向付けされる。したがって、縦列方向に沿って相互に隣接し、(その結果、追加の電気接点が横列方向に沿って隣接した電気接点間で配置されない)第１対の電気接点１０４の先端２２０、およびしたがって結合端部１１６の湾曲は、相互から離れて面することができる。さらに、縦列方向に沿って相互に隣接し、(その結果、追加の電気接点が横列方向に沿って隣接した電気接点間で配置されない)第２対の電気接点２０４の先端２２０、およびしたがって結合端部２１６の湾曲は、相互に向かって面することができる。第１対および第２対は共通の電気接点を共有することができる。先端２２０の湾曲は各列を横切って同一方向に沿って方向付けすることができる。
【００４７】
[0067]他の選択された電気接点２０４が、第２側部２１４ｂに面する一方で、選択された電気接点２０４が、ハウジング本体２１４の第１側部２１４ａに面するように、電気接点２０４の第１アレイ２０２の方向付けは、相互にほぼ相殺するために電気接点１０４および２０４の結合端部１１６および２１６によって生成される垂直力を考慮に入れ、それによって、第１および第２電気コネクタ１００および２００が結合するので第１および第２電気コネクタ１００および２００のそれぞれの電気接点１０４および２０４に相互に関する整列外に、バイアスをかけることができる力を緩和する。
【００４８】
[0068]例証された実施例にしたがって、第１アレイ１０２の電気接点１０４の横列は、縦列方向Ｃに沿って相互からほぼ等しく間隔を置かれる。同様に、第２アレイ２０２の電気接点２０４の横列は、縦列方向Ｃに沿って相互からほぼ等しく間隔を置かれる。第１アレイ１０２の電気接点１０４の横列の間の間隔は、第２アレイ２０２のそれとほぼ等しくあることができる。さらに、例証された実施例にしたがって、第１アレイ１０２の電気接点１０４の縦列は、横列方向Ｒに沿って相互からほぼ等しく間隔を置かれる。同様に、第２アレイ２０２の電気接点２０４の縦列は、横列方向Ｒに沿って相互からほぼ等しく間隔を置くことができる。第１アレイ１０２の電気接点１０４の縦列は、第１および第２電気コネクタ１００−２００が結合するので、第１および第２アレイ１０２−２０２の電気接点のそれぞれの結合端部が、相互に対して及ぼす力を少なくとも部分的に緩和するように、第２アレイ２０２のものとはわずかに異なって間隔を置くことができる。例えば、実施例にしたがって、第２アレイ２０２の電気接点２０４の横列が、横列方向Ｃに沿って、０.９５ｍｍ、１.０５ｍｍ、０.９５ミリ、１.０５ｍｍなどの距離を交替することにおいて相互から離れて一定間隔で配置することができる一方、第１アレイ１０２の電気接点１０４の横列は、縦列方向Ｃに沿って相互から１ｍｍ離れて間隔を置くことができる。
【００４９】
[0069]第１および第２電気コネクタ１００および２００は、横断方向Ｔによって画定することができる結合方向Ｍにおいて相互に結合することができ、さらに、結合方向に対向する方向に相互から離脱することができる。第１および第２電気コネクタ１００および２００が結合するので、電気コネクタのそれぞれの整列部材は、相互に関して、第１および第２電気コネクタ１００および２００を整列するように作動することができ、それによって、第２電気コネクタ２００の電気接点２０４の第２アレイ２０２と第１電気コネクタ１００の電気接点１０４の第１アレイ１０２を整列する。例えば第１電気コネクタ１００の側壁１４２は、第２電気コネクタ２００のコネクタハウジング２１２のハウジング本体２１４の対応する側部と係合することができ、さらに、第２電気コネクタ２００の側壁２４２は、長手方向Ｌおよび横方向Ａの一方または両方に沿って相互に関して、第１および第２電気コネクタ１００および２００のそれぞれのコネクタハウジング１１２および２１２を整列するように、第１電気コネクタ１００のコネクタハウジング１１２のハウジング本体１１４の対応する側部と係合することができる。
【００５０】
[0070]さらに、ほぼ電気接点１０４および２０４の第１および第２アレイ１０２および２０２を、それぞれ、相互に関して、例えば、正確に第１アレイ１０２の電気接点１０４の結合端部１１６を、第２アレイ２０２の電気接点２０４の対応する結合端部２１６と整列するように、第１電気コネクタ１００の内部の整列部材１１０であって第１整列部材と呼ぶことができるものは、第２電気コネクタ２００の内部の整列部材２１０であって第２整列部材と呼ぶことができるものと結合することができる。例えば、第１および第２電気コネクタ１００および２００が結合するので、第１電気コネクタ１００の内部の整列部材１１０のポスト１３０は、第２電気コネクタ２００のレセプタクル２３２に受けることができ、さらに、第２電気コネクタ２００のポスト２３０は、第１電気コネクタ１００のレセプタクル１３２に受けることができる。
【００５１】
[0071]第１および第２電気コネクタ１００および２００が、さらに、結合方向Ｍに沿って結合するので、内部の整列部材１１０のブロック１３４は、内部の整列部材２１０のブロック２３４を過ぎて摺動することができ、それは、内部の整列部材２１０のブロック２３４の少なくとも一部分が、内部の整列部材１１０の基礎１２８の窪んだ第１部分に受けられ、さらに、内部の整列部材１１０のブロック１３４は、内部の整列部材２１０の基礎２２８の窪んだ第１部分に受けられるようなものである。電気コネクタが相互に関して適切に方向付けられない場合、第１および第２電気コネクタ１００−２００が、相互に結合することができないことは、認識されるべきである。例えば、第１電気コネクタ１００の側壁１４２は、第２電気コネクタ２００のそれぞれの側壁２４２で妨害し、さらに、第１電気コネクタ１００のポスト１３０は、第２電気コネクタ２００の補完的なポスト２３０で妨害し、そしてしたがって、もし第１および第２電気コネクタ１００−２００が、相互に関して適切に方向付けされなければ、電気接点１０４は、第２アレイ２０２の電気接点２０４と結合することができない。この点に関して、第１および第２電気コネクタ１００−２００のそれぞれの整列部材は、結合すべき第１と第２電気コネクタ１００と２００との間の所定の方向付けを確立する方向付けとしてさらに作動することができる。第２電気コネクタ２００が、第１および第２電気コネクタ１００および２００が相互と結合するように整列する場合、横断方向Ｔにおける第１軸および長手方向Ｌにおける第２軸の両方に関して回転する第１電気コネクタ１００のミラー像であることが、認識されるべきである。
【００５２】
[0072]第１および第２電気コネクタ１００および２００が、相互に完全に結合する場合、第１アレイ１０２の各電気接点１０４の結合端部１１６は、第２アレイ２０２の対応する電気接点２０４の結合端部と、Ｃ１およびＣ２のような少なくとも２つの接点ポイントをなし、それは、第１および第２アレイ１０２および２０２の電気接点１０４および２０４が、それぞれに、スタブ長さを画定する、そしてそれぞれの先端１２０または２２０の遠位の自由端に対する湾曲した先端１２０または２２０のそれぞれの接触位置間に画定するようなものである。接点Ｃ２およびＣ２の２つのポイントは、また、相互に関して第１および第２電気コネクタ１００および２００の受動的な保持を提供することができる。さらに、電気コネクタ組立体１０、例えば、第１および第２電気コネクタ１００および２００は、完全に結合された場合、例えば、第１電気コネクタ１００のコネクタハウジング１１２のハウジング本体１１４の内側端部１１４ｅから最も遠くに間隔を置かれる第１アレイ１０２の電気接点１０４のハンダボール１２２上のそれぞれの位置と、第２電気コネクタ２００のコネクタハウジング２１２のハウジング本体２１４の内側端部２１４ｅから最も遠くに間隔を置かれる第２アレイ２０２の電気接点２０４のハンダボール２２２上のそれぞれの位置との間の横断方向Ｔに沿う距離によって画定されるようなスタック高さを示す。別の方法で記述すれば、スタック高さは、横断方向Ｔに沿って、第１電気コネクタ１００のハンダボールおよび第２電気コネクタ２００のハンダボール２２２の対向する最外側の端部まで画定することができる。例証された実施例にしたがって、電気コネクタ組立体１０のスタック高さ、すなわち、結合するときに横断方向Ｔに沿う、第１および第２電気コネクタ１０２および２０２の累積的な高さは、その間に、かつ、およそ１ｍｍとおよそ２ｍｍ、および、その間で０.１ｍｍの増分を有する低部端部を有する範囲内にあることができる。その範囲は、その間に、かつ、およそ２ｍｍとおよそ４ｍｍ、および、その間で０.１ｍｍの増分を有する上部端部を有する。例えば、スタック高さは、およそ２ｍｍである。スタック高さは、さらに、およそ３ｍｍである。この点では、第１および第２電気コネクタ１００および２００が相互に結合する場合、電気接点１０４の第１アレイ１０２の各可融部は、電気接点２０４の第２アレイ２０２の対応する可融要素から、横断方向Ｔに沿うスタック高さと等しい距離、一定間隔で配置されるということができる。
【００５３】
[0073]第１および第２電気コネクタ１００および２００が、それぞれに、望まれるような任意の適切な代りの実施例にしたがって構築することができることは認識されるべきである。例えば、今度は、図４および５を参照して、電気接点１０４は、図１−２に例証された実施例とは異なって方向付けすることができる。例えば、電気接点１０４の選択したものの先端１２０は、ハウジング本体１１４の第１側部１１４aに面し、さらに、電気接点１０４の他のものの先端は、第２側部１１４ｂに面する。例証された実施例にしたがって、各横列内の電気接点１０４の先端１２０は、それぞれの横列を横切って、同一の方向、すなわち、第１および第２側部１１４ａおよび１１４ｂの共通の方向に向かって方向付けられる。例えば、各横列の先端１２０はすべて、第１および第２側部１１４ａおよび１１４ｂのうちの一方に面することができ、さらに、直ちに隣接した横列の先端１２０はすべて、第１および第２側部１１４ａおよび１１４ｂの他方に面することができる。したがって、各縦列内の電気接点１０４の少なくとも１つの先端１２０は、各縦列の電気接点１０４の他のものに対向して方向付けすることができる。例えば、縦列に沿って直ちに隣接する先端１２０の方向付けは、第１側部１１４ａに面することと、第２側部１１４ｂに面することを交替することができる。認識されるように、電気接点１０４の側面部は、第１および第２側部１１４aおよび１１４ｂに面し、さらに、電気接点１０４の端縁は、第３および第４側部１１４ｃおよび１１４ｄに面する。したがって、電気接点１０４は、それらの側面部が、縦列方向Ｃに沿って相互に面し、さらに、それらの端縁は、横列方向Ｒに沿って相互に面するように方向付けすることができる。
【００５４】
[0074]各電気接点１０４の結合端部１１６は、それぞれの設置端部１１８に関して偏倚され、それは、結合端部１１６および設置端部１１８が、横断方向Ｔに沿って相互と整列しないようなものである。例えば、結合端部１１６は、長手方向Ｌに沿って設置端部から偏倚することができる。したがって、直ちに隣接した結合端部１１６は、少なくとも横列方向Ｃに沿った変更する距離で相互からほぼ等しく間隔を置くことができる一方、第１アレイ３０２の電気接点３０４の設置端部１１８は、横列方向Ｒおよび縦列方向Ｃの両方に沿って相互に関して等距離で間隔を置くことができ、さらに、横列方向Ｒに沿って変更する距離で一定間隔を置くことができる。したがって、電気接点１０４のアレイ１０２は、アレイ１０２に沿って変わる先端１２０の遠位端で横列ピッチ(すなわち、縦列方向に沿って隣接した横列の間の距離)を画定することができる。例えば、アレイ１０２は、直ちに隣接した横列の間で変更する２つの異なる横列ピッチを画定することができる。例えば、電気接点１０４の選択した横列の結合端部１１６は、その先端１２０が電気接点３０４の選択した横列の先端１２０から離れて面する電気接点１０４の第２の直ちに隣接した横列のそれぞれの結合端部１１６に対してよりも、その先端が電気接点１０４の選択した横列の先端に向かって面する電気接点１０４の第１直ちに隣接した横列のそれぞれの結合端部１１６により接近して一定間隔で配置される。
【００５５】
[0075]側壁１４２は、ハウジング本体１１４の外部周囲に沿って延びることができ、さらに、ほぼ横断方向Ｔに沿ってハウジング本体１１４の内側端部１１４ｅに関して外方に延び、それは、側壁１４２が、電気接点１０４の第１アレイ１０２をほぼ取囲むようなものである。例証された側壁１４２が、ハウジング本体３１４の外部周囲に関してほぼ連続的である一方、側壁１４２は、代りに、望まれるように、例えば図１−２で例証されるように、例えば、側部の３１４ａ−３１４ｄのそれぞれのような少なくとも１つのそれぞれの部分に沿って延びる複数の壁セグメントを有する壁として構築することができることは、認識されるべきである。
【００５６】
[0076]第１電気コネクタ１００は、さらに、上述されたような少なくとも１つの整列部材を有する。図４−５において例証された実施例にしたがって、少なくとも１つの整列部材は、横断方向に沿って、例えば、外側端部１１４ｆに向かって、またはその外方への、すなわち、ハウジング本体１１４を介して、例えば内側端部１１４ｅ内への、かつ、ハウジング本体１１４の少なくとも一部分内に延びるスロット１５２のような、複数の整列部材を有することができる。例証された実施例にしたがって、ハウジング本体１１４は、より詳細に以下に記述されるように、４つのスロット１５２であって、第２電気コネクタ２００の尾根２５２のような整列部材のそれぞれの１つを受けるように構成された各スロット１５２を画定することができる。例証されたスロット１５２は、電気接点１０４の第１アレイ１０２の外部周囲のそれぞれの角部に近接して位置され、それは、スロット１５２が、電気接点１０４の第１アレイ１０２と側壁１４２との間に配置されるようなものである。この点では、第１電気コネクタ１００が、電気接点１０４の第１アレイ１０２と側壁１４２の少なくとも一部分との間に配置される第１整列部材を有すると言うことができる。例証されたスロット１５２は、ほぼ「Ｌ」字に形作られるが、スロット１５２は、望まれるような任意の他の適切な形状を有することができる。さらに、第１電気コネクタ１００が、例証されたスロット位置に限定されず、より多い、またはより少ないスロットが、例えば電気接点１０４の第１アレイ１０２の外部周囲に沿って任意の他の適切な位置で望まれるように画定することができることは認識されるべきである。
【００５７】
[0077]第１電気コネクタ１００は、さらに、第１および第２電気コネクタ１００および２００が、相互に関係して所定の方向付けにあり、それによって、第１および第２電気コネクタ１００および２００が、相互に結合する場合に相対的な方向付けを確実にする場合にのみ、第２電気コネクタ２００の補完的な方向付け部材と係合するように構成される少なくとも１つの方向付け部材を有する。例証された実施例にしたがって、第１電気コネクタ１００の方向付け部材は、側壁１４２内に、例えば、第１側部１１４ａで、電気接点１０４のアレイ１０２に向かって延び、そして、さらに、外側端部１１４ｆに向かって、例えば、外側端部に１１４ｆを介して、そして、したがって、コネクタハウジング１１２を介して、内側端部１１４ｅから横断方向Ｔに沿って延びる凹所１５４として構成することができる。凹所１５４は、より詳細に以下に記述されるように、第２電気コネクタ４００の、タブ２５４のような補完的な方向付け部材を受けるように構成される。コネクタハウジング１１２が、例証された凹所１５４に限定されることなく、さらに、コネクタハウジング１１２が、望まれるような任意の他の適切な方向付け部材で、代りに構築することができることは、認識されるべきである。
【００５８】
[0078]図４−５についての継続的な参照によって、第２電気コネクタ２００の電気接点２０４は、図１−２に例証された実施例とは異なって方向付けすることができる。例えば、電気接点２０４の選択したものの先端２２０は、ハウジング本体２１４の第１側部２１４ａに面し、さらに、電気接点２０４の他のものの先端は、第２側部２１４ｂに面する。例証された実施例にしたがって、各横列内の電気接点２０４の先端２２０は、同一の方向、すなわち、それぞれの横列を横切って、第１および第２側部２１４ａおよび２１４ｂの共通のものに向かって方向付けられる。例えば、各横列の先端２２０はすべて、第１および第２側部２１４ａおよび２１４ｂのうちの一方に面することができ、さらに、直ちに隣接した列の先端２２０はすべて、第１および第２側部２１４ａおよび２１４ｂの他方に面することができる。したがって、各縦列内の電気接点２０４の少なくとも１つの先端２２０は、それぞれの縦列の電気接点２０４の他のものに対向して方向付けることができる。例えば、縦列に沿って直ちに隣接する先端２２０の方向付けは、第１側部２１４ａに面することと第２側部２１４ｂに面することとの間で交互にすることができる。認識されるように、電気接点２０４の側面部は、第１および第２側部２１４ｃおよび２１４ｂに面し、さらに、電気接点２０４の端縁は、第３および第４番の側部２１４ｃおよび２１４ｄに面する。したがって、電気接点２０４は、それらの側面部が縦列方向Ｃに沿って相互に面し、さらに、それらの端縁は、横列方向Ｒに沿って相互に面する。
【００５９】
[0079]各電気接点２０４の結合端部２１６は、それぞれの設置端部２１８に関して偏倚され、それは、結合端部２１６および設置端部２１８が、横断方向Ｔに沿って相互と整列しないようなものである。例えば、結合端部２１６は、長手方向Ｌに沿って設置端部から偏倚することができる。したがって、第２アレイ２０２の電気接点２０４の設置端部２１８は、直ちに隣接した結合端部２１６が、少なくとも縦列方向Ｃに沿う変わる距離で相互からほぼ等しく間隔を置くことができる一方、横列方向Ｒおよび縦列方向Ｃの両方に沿って相互に関して等距離で間隔を置くことができ、そして、さらに、横列方向Ｒに沿った変更する距離で一定間隔で配置することができる。したがって、電気接点２０４の第２アレイ２０２は、アレイ２０２に沿って変わる先端２２０の遠位端で横列ピッチ(すなわち、縦列方向に沿った隣接した列の間の距離)を画定することができる。例えば、アレイ２０２は、直ちに隣接した横列の間で交替する２つの異なる横列ピッチを画定することができる。例えば、電気接点２０４の選択した横列の結合端部２１６は、その先端が電気接点２０４の選択した横列の先端２２０から離れて面する電気接点２０４の第２直ちに隣接した横列のそれぞれの結合端部２１６に対してよりも、その先端が電気接点２０４の選択した横列の先端に向かって面する電気接点２０４の第１直ちに隣接した横列のそれぞれの結合端部２１６に対して、より接近して一定間隔で配置される。
【００６０】
[0080]第２電気コネクタ２００の側壁２４２は、ハウジング本体２１４の外部周囲に沿って延びることができ、さらに、ほぼ横断方向Ｔに沿ってハウジング本体２１４の内側端部２１４ｅに関して外方に延び、それは、側壁２４２が、電気接点２０４の第２アレイ２０２をほぼ取囲むようなものである。例証された側壁２４２が、ハウジング本体２１４の外部周囲に関してほぼ連続的である間、壁２４２は、例えば、側部２１４ａ−２１４ｃのそれぞれのような、少なくとも１つのそれぞれの部分に沿って延びる複数の壁セグメントを有する壁として、望まれるように、例えば、代りに構築することができる(図１−２参照)ことは、認識されるべきである。例証された実施例にしたがって、図４−５に例証された第２電気コネクタ２００の側壁２４２は、第１電気コネクタ１００の側壁１４２に挿入されるように構成することができ、それは、第１および第２電気コネクタ１００および２００が相互と結合する場合、側壁２４２が、側壁１４２内にはまり込むようなものである。
【００６１】
[0081]第２電気コネクタ２００は、さらに、第１電気コネクタ１００のそれぞれの補完的な整列部材と係合するように構成される複数の整列部材のような、少なくとも１つの整列部材を有する。例えば、第２電気コネクタ２００は、横断方向Ｔにほぼ沿って側壁２４２の少なくとも１つ、またはそれ以上すべてまでの外部端縁のそれぞれの部分から外方に延びる尾根２５２のような複数の整列部材を有することができ、さらにコネクタハウジング１１２のスロット１５２の対応するものに受けられるように構成される。例証された実施例にしたがって、側壁２４２は、４つのそれぞれの尾根２５２を画定することができ、この尾根２５２は、スロット１５２のそれぞれのものの中に少なくとも部分的に受けられるように構成される。例証された尾根２５２は、側壁２４２のそれぞれの角部に近接して位置する。例証された尾根２５２は、スロット１５２のそれぞれのものに入るように形作られたほぼ「Ｌ」字であることができるが、しかし、尾根２５２は、望まれるような任意の他の適切な構造を有することができる。さらに、第２電気コネクタ２００が、例証された尾根位置に限定されることなく、さらに、より多く、またはより少数の尾根が、望まれるような、例えば、壁２５０に沿って任意の他の適切な位置で画定することができることは、認識されるべきである。第１および第２電気コネクタ１００−２００が、例証されたスロット１５２および尾根２５２に限定されることなく、さらに、第１および第２電気コネクタ１００-２００は、代りに、望まれるような、例えば、図１−２に例証されるように任意の他の適切な整列部材で構築することができることが、さらに認識されるべきである。
【００６２】
[0082]第２電気コネクタ２００は、さらに、第１および第２電気コネクタ１００−２００の結合の間に、相互に関する第１および第２電気コネクタ１００−２００の適切な方向付けを確実にするように第１電気コネクタ１００の補完的な方向付け部材と係合するように構成される少なくとも１つの方向付け部材を有することができる。例証された実施例にしたがって、第２電気コネクタ２００のコネクタハウジング２１２は、ハウジング本体２１４の前方端部２１４ａで壁２５０から外方に延びるタブ２５４であって、コネクタハウジング１１２の凹所１５４に受けられるように構成されたタブ２５４のような少なくとも１つの整列部材を有することができる。コネクタハウジング２１２が、例証されたタブ２５４に限定されることなく、さらに、コネクタハウジング２１２は、代りに、例えば図１−２で例証されるように、望まれるような任意の他の適切な方向付け部材で構築することができることは、認識されるべきである。
【００６３】
[0083]第１および第２電気コネクタ１００−２００は、結合方向Ｍに沿って相互に結合し、または解除することができる。例えば、第１および第２電気コネクタ１００−２００は、タブ２５４が凹所１５４に受けられるように整列されるように方向付けされる。一旦第１および第２電気コネクタ１００−２００が、相互に関して適切に方向付けられると、第１および第２電気コネクタ１００−２００は、結合することができる。第１および第２電気コネクタ１００−２００が結合するので、電気コネクタのそれぞれの整列部材は、相互に関して第１および第２電気コネクタ３００-４００を整列するように作動することができ、それによって、電気接点１０４の第１アレイ１０２を電気接点２０４の第２アレイ２０２と整列させる。例えば、側壁２４２は、側壁１４２によって嵌まり込む係合に受けることができる。側壁１４２および２４２は、相互に当接し、さらに、第１および第２電気コネクタ１００および２００が結合するように、相互に沿って摺動することができる。第１および第２電気コネクタ３００−４００は、さらに結合するので、尾根２５２は、ほぼ電気接点１０４および２０４の第１および第２アレイ１０２および２０２をほぼ整列するようにスロット１５２内に受けることができる。
【００６４】
[0084]第１および第２電気コネクタ１００および２００は、相互と結合するように整列し、そして相互と結合する場合、電気接点１０４および２０４の選択したものは、それぞれ第１および第２結合された接点を画定するように相互と結合する。電気接点１０４の第１結合した接点の先端１２０は、第１および第２側部１０４ａおよび１０４ｂの一方に面し、さらに、電気接点２０４の第２結合された接点の先端２２０は、第１および第２側部２０４ａおよび２０４ｂの他方に面する。
【００６５】
[0085]電気コネクタ１００および２００のそれぞれが電気的に絶縁性のコネクタハウジング、および、コネクタハウジングによって支持されるジェンダ−中立の電気接点(それぞれ、１０４および２０４)のアレイを有することができることは、認識されるべきである。電気接点のアレイは、開放したピンフィールドを画定することができ、それは、望まれるような信号接点、または接地接点として各電気接点１０４および２０４が、割り当てられ、専用の信号接点または接地接点ではないようなものである。図１−５で例証された電気接点１０４および２０４のそれぞれは、縦列方向Ｃによって画定することができる第１方向に沿って相互から一定間隔で配置される１対の側面部のような側面部１７５ａを、さらには、横列方向Ｒによって画定することができる第２方向に沿って相互から一定間隔で配置される１対の端縁のような端縁１７５ｂを、画定することができる。したがって、第１および第２方向は、相互に関して垂直であることができる。先端部分１１９または２１９と先端部分に対してほぼ垂直に延びる平面との間の交差は、端縁１７５ｂのそれぞれの全体に沿って延びる第１寸法、および、側面部１７５ａのそれぞれの全体に沿って延びる第２寸法、を画定し、それは、第２寸法が、第１寸法より大きいようなものである。例えば、端縁１７５ｂの第１寸法は、電気接点の材料厚さと等しくなることができ、その一方で、材料から電気接点を型押しする場合、側面部１７５ａの寸法は型押し動作によって画定することができる。したがって、側面部１７５ａは、先端部分と、電気接点、例えば先端部分でほぼ直角に方向付けされる平面との交差に沿う端縁１７５ｂより長いと言うことができる。平面は、横方向および長手方向において方向付けることができる。電気接点のアレイは、縦列方向に沿って一定間隔で配置される複数の横列、および横列方向に沿って一定間隔で配置される複数の縦列を画定することができる。各列の電気接点の隣接するものの端縁は、横列方向に沿って相互に面し、さらに、各縦列の電気接点の隣接するものの側面部は、縦列方向に沿って相互に面する。
【００６６】
[0086]結合端部は、湾曲を画定するように曲げることができる。電気接点は、縦列方向に沿って(例えば縦列の１つに沿って)に沿って整列する第１、第２、および第３電気接点を画定する。第２電気接点は、第１および第３電気接点に隣接して、かつ、その間に配置することができる(なんらの追加の電気接点も、第１電気接点と縦列方向に沿って縦列の第２電気接点との間に配置されず、さらに、なんらの追加接点も第２電気接点と縦列方向に沿って縦列の第３電気接点との間に配置されないように)。第１および第２電気接点の結合端部の湾曲は、相互に対面し、さらに、第２および第３電気接点の結合端部の湾曲は、相互から離れて対面する。例えば、第１電気接点の結合端部は、第２電気接点の結合端部に関して凹面であることができる。同様に、第２電気接点の結合端部は、第１電気接点の結合端部に関して凹面である。さらに、第３電気接点の結合端部は、第２電気接点の結合端部に関して凸面であることができ、さらに、第２電気接点の結合端部は、第３電気接点の結合端部に関して凸面であることができる。
【００６７】
[0087]したがって、第１距離は、第１電気接点の結合端部から第２電気接点の結合端部への縦列方向に沿って画定することができ、さらに、第２距離は、第２電気接点の結合端部から第３電気接点の結合端部への縦列方向なることができ、例えば、少なくとも１つの、すべてまでの電気接点の先端部分は、第１、第２、および第３電気接点のそれぞれを有して、縦列方向に沿う厚さを画定することができ、さらに、第２距離は、厚さより大きい。例えば、第２距離は、厚さの２倍より大きく、かつ、望まれるように、１００倍の厚さのような、任意の距離より小さく、５０倍未満の厚さを有することができる。電気接点は、横列方向に沿って平等に間隔を置くことができる。
【００６８】
[0088]例証された実施例にしたがって、電気接点の湾曲は、接点から各縦列の隣接した接点までの方向おいて交替する。さらに、縦列のすべてまでの縦列の少なくとも１つは、縦列方向に沿って縦列の対向する端部を画定する第１および第２最外側の電気接点を画定し、さらに、第１および第２最外側の電気接点の結合端部の湾曲の方向は、同一である。したがって、縦列が、それぞれ奇数個の電気接点を画定することができることは、認識されるべきである。代りに、各縦列は、電気接点の偶数を画定することができ、それによって、第１および第２最外側の電気接点の結合端部の湾曲の方向が、相互に対向する。
【００６９】
[0089]さらに、電気接点の結合端部は、縦列方向に沿う各縦列の電気接点の湾曲、およびしたがって結合端部を介して延びる直線が、コネクタハウジングを通り抜けないようなコネクタハウジングから外方に延びることができる。例えば、その直線は、縦列方向に沿って相互に隣接する電気接点の湾曲間の空気のみを通り抜ける。
【００７０】
[0090]例証された実施例にしたがって、少なくとも１つの、すべてまでの、第１、第２、および第３電気接点のそれぞれを有する電気接点は、ジェンダ中立であることができ、そしてしたがって、それぞれの第１、第２、および第３電気接点のようなそれぞれの電気接点とほぼ同一に形作られるそれぞれの１つの電気接点と結合するように構成される。したがって、電気接点のそれぞれは、他の電気コネクタのそれぞれの異なる電気接点と結合するように構成される。
【００７１】
[0091]今度は図６Ａ−７Ｄを参照して、電気コネクタ組立体３１０は、第１電気コネクタ４００、および、相互と電気伝達における第１および第２電気コネクタを置くように、第１電気コネクタ４００に結合するように構成される第２電気コネクタ５００を有する。第１電気コネクタ４００は、より詳細に以下に記述されるように、第２電気コネクタの少なくとも１つの補完的な整列部材と係合するように構成される少なくとも１つの整列部材を有することができる。第１および第２電気コネクタ４００および５００のそれぞれの少なくとも部分的に相互に関して、第１および第２電気コネクタ４００および５００のそれぞれの電気接点を整列させて、かつ電気コネクタの結合の間に相互に関して第１および第２電気コネクタ４００および５００の適切な方向付けを確実にするように結合する場合、第１および第２電気コネクタ４００および５００の少なくとも１つの整列部材は、それぞれ、相互に係合することができる。第１電気コネクタ４００は、レセプタクル電気コネクタとして構成することができ、さらに、第２電気コネクタ５００は、その電気接点が第１電気コネクタ４００の電気接点によって受けられるように構成することができるヘッダコネクタとして構成することができる。
【００７２】
[0092]第１電気コネクタ４００は、第１コネクタハウジング４１２と呼ぶことができるコネクタハウジング４１２、および、電気接点の第１アレイとタ呼ぶことができ、コネクタハウジング４１２によって支持される電気接点４０４のアレイ４０２を有することができる。コネクタハウジング４１２は、プラスチックのような任意の適切な誘電体材料で作ることができ、さらに、電気接点４０４は、金属のような任意の適切な電気伝導材料で作ることができる。例証された実施例にしたがって、コネクタハウジング４１２は、電気接点４０４上に重ね成型することができる。代りに、電気接点４０４は、コネクタハウジング４１２内に止めることができ、またはそうでなければ、望まれるようにコネクタハウジング４１２によって支持されることができる。コネクタハウジング４１２は、第１の、または長手方向Ｌに沿って相互から一定間隔で配置される対向する第１および第２側部４１４ａおよび４１４ｂを画定するハウジング本体４１４と、長手方向Ｌにほぼ垂直に延びる第２の、または横方向Ａに沿って、相互に一定間隔で配置される、対向する第３、および第４側部４１４ｃおよび４１４ｄと、結合インターフェース１０６を画定する内側端部４１４ｅと、および、第３の、または横断方向Ｔに沿って内側端部４１４ｅから一定間隔で配置され、さらに、対向する設置インターフェース１０８を画定する外側端部４１４fとを有することができる。例証された実施例にしたがって、第１電気コネクタ４００、およびしたがって電気コネクタ組立体１０の方向付けが、使用の間に変わることができることは認識されるべきであるが、長手方向Ｌおよび横方向Ａが、水平に方向付けされ、さらに、横断方向Ｔが、垂直に方向付けされることは認識されるべきである。別段の定めがない限りここに、用語「横の」、「横に」、「長手の」、「長手に」、「横断の」、そして「横断して」は、参照がされる図面における垂直の方向のある部品を指示するために使用される。
【００７３】
[0093]第１電気コネクタ４００が、第１プリント回路基板との電気的伝達（electrical communication）に置かれるように、第１電気コネクタ４００は、設置インターフェース４０８で基礎をなす基板、例えば、第１プリント回路基板(ＰＣＢ)に設置されるように構成される。同様に、第２電気コネクタ５００が、第２プリント回路基板５０９との電気的伝達に置かれるように、第２電気コネクタ５００は、設置インターフェースで基礎をなす基板、例えば、第２プリント回路基板(ＰＣＢ)５０９に設置されるように構成することができる。したがって、電気コネクタシステムは、それぞれのプリント回路基板４０９および５０９上に設置される第１および第２電気コネクタ４００および５００を有する電気コネクタ組立体３１０をそれぞれ有することができる。したがって、第１および第２電気コネクタ４００および５００は、相互に結合し、それは、第１電気コネクタ４００の結合インターフェース４０６が、相互との電気的伝達での電気接点４０４および５０４のそれぞれのアレイを置くように第２電気コネクタ５００の結合インターフェース５０６と係合するようなものであり、第１および第２電気コネクタ４００および５００は、第２プリント回路基板との電気的伝達に第１プリント回路基板を置くように動作することができる。
【００７４】
[0094]同様に、第２電気コネクタ５００は、第２コネクタハウジングと呼ぶことができ、電気接点の第２の複数と呼ぶことができる電気接点５０４の第２アレイ５０２を支持するように構成されるコネクタハウジング５１２を有することができる。コネクタハウジング５１２は、プラスチックのような任意の適切な誘電体材料で作ることができ、さらに、電気接点５０４は、金属のような任意の適切な電気伝導材料で作ることができる。例証された実施例にしたがって、コネクタハウジング５１２は、電気接点５０４上に重ね成型することができる。代りに、電気接点５０４は、コネクタハウジング５１２内に止めることができ、またはさもなければ、望まれるように、コネクタハウジング５１２によって支持することができる。コネクタハウジング５１２は、第１の、または長手方向Ｌに沿って相互から一定間隔で配置される対向する第１および第２側部５１４ａおよび５１４ｂを画定するハウジング本体５１４と、長手方向Ｌにほぼ垂直に延びる第２の、または横方向Ａに沿って、相互に一定間隔で配置される、対向する第３、および第４側部５１４ｃおよび５１４ｄと、内側端部５１４ｅと、および、長手方向Ｌと横方向Ａの両方にほぼ垂直に延びる第３の、または横断方向Ｔに沿って内側端部５１４ｅから一定間隔で配置される外側端部５１４ｆとを有することができる。内側端部５１４ｅは、結合インターフェース５０６を画定することができ、さらに、外側端部５１４ｆは、設置インターフェース５０８を画定することができる。
【００７５】
[0095]第１電気コネクタ４００の結合インターフェース４０６および第２電気コネクタ５００の結合インターフェース５０６は、それぞれの設置インターフェース４０８および５０８にほぼ平行に方向付けられるので、第１および第２電気コネクタ４００および５００は、垂直、または中二階電気コネクタと呼ぶことができる。しかしながら、それぞれの結合インターフェースが、それぞれの設置インターフェースにほぼ垂直に方向付けられるように、そうでなければ、例えば直角の電気コネクタとして望まれるように、第１および第２電気コネクタ４００および５００の一方または両方が、構築することができることは認識されるべきである。
【００７６】
[0096]さらに、例証された実施例にしたがって、電気接点４０４の第１アレイ４０２の電気接点４０４は、長手方向Ｌによって画定することができる横列方向Ｒに沿って延びる複数の横列のような少なくとも２つ内に、および、横方向Ａによって画定することができる縦列方向Ｃに沿う横列にほぼ垂直に延びる複数の縦列のような少なくとも２つ内に、配置される。例証されるように、列あるいは電気接点４０４はそれぞれ電気接点４０４のすべての縦列と交差することができる。また、電気接点の縦列はそれぞれ電気接点４０４のすべての列と交差することができる。この点では、電気接点４０４の少なくとも２つの縦列のそれぞれは、電気接点４０４の少なくとも２つの列のそれぞれと交差するということができる。同様に、例証された実施例にしたがって、電気接点５０４の第２アレイ５０２の電気接点５０４は、長手方向Ｌによって画定することができる横列方向Ｒに沿って延びる複数の横列のような少なくとも２つ内に、および、横方向Ａによって画定することができる縦列方向Ｃに沿う横列にほぼ垂直に延びる複数の縦列のように少なくとも２つ内に、配置することができる。例証されるように、各横列または電気接点５０４は、電気接点５０４のすべての縦列と交差することができ、さらに、電気接点の各縦列は、電気接点５０４のすべての列と交差することができる。この点では、電気接点５０４の少なくとも２つの列のそれぞれが、電気接点５０４の少なくとも２縦列のそれぞれと交差すると言うことができる。アレイ４０２および５０２は、それぞれ、ここに記述されるように、望まれるように、電気接点４０４および５０４の縦列および横列の任意の数をもそれぞれ画定することができる。第１および第２電気コネクタ４００および５００の横列および縦列は、相互と数的に、および空間的に同一であることができる。
【００７７】
[0097]また、図９Ａ−９Ｂ参照すると、各電気接点４０４は、結合インターフェース４０６から外方に延びる結合端部４１６と、設置インターフェース４０８から外方に延びる対向する設置端部４１８と、結合端部４１６および設置端部４１８の間に延びる先端部分４１９とを画定する接点本体４０５を有することができる。それが、結合端部４１６と横断方向Ｔに沿う設置端部４１８との間に延びるので、各電気接点４０４の接点本体４０５の少なくとも一部分は、それぞれに結合および設置端部４１６および４１８の間で湾曲することができる。それは参照によってあたかもその全体においてここに述べられるかのように組込まれる米国特許第６,０４２,３８９号に記述されるように、電気接点４０４のそれぞれは、それぞれが横断方向Ｔに沿う基礎４０４ａから内側端部４１４ｅに向かって延びる第１スプリングアーム４０４ｂおよび第２スプリングアームを有する１対のカンチレバー式のスプリングアームレセプタクル接点であることができ、それは、設置端部４１８が基礎４０４ａから外側端部４１４ｆに向かって延びるようなものである。それぞれが拡張する４０４ Ｃに装備させる、装備が４１８を終了するようなものは、外側端部への基礎４０４ａから４１４ f延びる。各スプリングアーム４０４ｂおよび４０４ｃは、弾力的に基礎４０４ａによって弾力的に支持することができ、さらに基礎４０４ａからそれぞれの自由遠位の先端４２０まで延びることができる。基礎４０４ａは、先端部分４１９によって画定することができる。
【００７８】
[0098]各電気接点４０４の第１カンチレバー式のスプリングアーム４０４ｂ、および第２カンチレバー式のスプリングアーム４０４ｃのそれぞれは、各電気接点が、横列方向Ｒに沿うスプリングアーム４０４ｂおよび４０４ｃ間のギャップを画定するように、横列方向Ｒに沿う相互両方から偏倚することができる。スプリングアーム４０４ｂおよび４０４ｃは、さらに、縦列方向Ｃに沿って相互から間隔を置くことができる。例えば、各スプリングアーム４０４ｂおよび４０４ｃは、さらに、基礎４０４ａおよびそれぞれの遠位の先端４２０の間の湾曲領域、例えば画定する、一般に「Ｓ」字形状の湾曲の領域を画定することができる。したがって、各スプリングアーム４０４ｂおよび４０４ｃの先端４２０は、設置端部４１８に関して長手方向Ｌに沿って偏倚される。スプリングアーム４０４ｂおよび４０４ｃの一方は、その遠位の先端４２０が、その設置端部４１８に関して、第１側部４１４ａまたは第２側部４１４ｂの一方に対して偏倚されるように、湾曲することができ、さらに、スプリングアーム４０４ｂおよび４０４ｃの他方は、その遠位の先端４２０が、設置端部４１８に関して、第１側部４１４ａまたは第２側部４１４ｂの他方に向かって偏倚するように、湾曲することができる。第１および第２スプリングアーム４０４ｂおよび４０４は、例えば、第２電気コネクタ５００のプラグ結合端部が、横列方向Ｃに沿うスプリングアーム４０４ｂおよび４０４ｃ間に挿入されるときに、基礎４０４ａに関して相互から離れて湾曲するように構成される。
【００７９】
[0099]電気接点４０４は、さらに、設置インターフェース４０８に近接して設置端部４１８から突出するそれぞれのハンダボール４２２を有する。このハンダボール４２２は、例えば、設置端部４１８に融合されて、設置端部４１８によって取付けるか、そうでなければ支持することができ、さらに、例えば、第１プリント回路基板上に第１電気コネクタ４００を位置することによって、かつ、第１電気コネクタ４００および第１プリント回路基板をハンダリフロープロセスにさらすことによって、対応する電気接点、例えば、プリント回路基板の電気伝導性の接点パッドに設置するように構成され、それによって、ハンダボール４２２は、第１プリント回路基板のそれぞれの接点パッドに溶融する。ハンダボール４２２は、すべて、ハンダリフロープロセスが完成する前、および、その後の両方で、設置インターフェース４０８に沿う相互との共通平面であることができる。電気接点４０４は、例証された設置端部４１８に限定されないこと、さらには、設置端部４１８は、代りに、第１プリント回路基板の補完的なバイアに挿入されるように構成される加圧嵌め設置尾部のように、任意の他の適切な可溶性の、または望まれるような非可溶性の要素で構成することは、さらに認識されるべきである。
【００８０】
[0100]第１電気コネクタ４００は、横断方向Ｔに沿うハウジング本体４１４内に延びる複数のポケット４２４を画定することができる。例えば、ポケット４２４は、内側端部４１４ｅに向かって横断方向Ｔに沿ってコネクタハウジング４１２のハウジング本体４１４の外側端部４１４ｆ内に延びることができる。接点本体４０５の設置端部４１８は、ポケット４２４内に延びることができ、それは、ハンダボール４２２が、ポケット４２４のそれぞれのもの内に配置されるようなものである。したがって、接点本体４０５の設置端部４１８を有することができる電気接点４０４のそれぞれの接地端部、および、それぞれのハンダボール４２２は、ポケット４２４内に少なくとも部分的に配置することができる。したがって、電気接点４０４の第１アレイ４０２が、コネクタハウジング４１２によって支持される場合、各ハンダボール４２２は、少なくとも複数のポケット４２４のそれぞれのものに、ハウジング本体４１４の外側端部４１４ｆに関して部分的に凹所に置かれる。この点では、電気接点４０４の第１アレイ４０２のハンダボール４２２が、外側端部４１４ｆのハウジング本体４１４に関して外方に突出することができるということができる。
【００８１】
[0101]図９Ａ−Ｂについての継続的な参照によって、コネクタハウジング４１２は、さらに、コネクタハウジング４１２のハウジング本体４１４の内側端部４１４ｅからハウジング本体４１４の外側端部４１４ｆに横断方向Ｔに沿ったハウジング本体４１４によって延びる複数の保持開口を画定することができる。この保持開口は、横断方向Ｔに沿ってコネクタハウジング４１２のハウジング本体４１４の内側端部４１４ｅ内に延びる保持穴４２６、および、横断方向Ｔに沿った保持穴４２６とほぼ整列される複数のポケット４２４を有することができる。保持穴４２６は、電気接点４０４のそれぞれの保持部分を少なくとも部分的に受けるように構成することができ、それは、電気接点４０４の第１アレイ４０２が、コネクタハウジング４１２によって支持される場合、各電気接点４０４の結合端部４１６は、ハウジング本体４１４の内側端部４１４ｅに関して外方に突出するようなものである。各保持穴４２６は、少なくとも１つの内部壁４２７によって少なくとも部分的に画定することができる。さらに、各保持穴４２６は、内側端部４１４ｅと外側端部４１４ｆとの間の位置で内部壁４２７から内に延びる棚４２７aによって、少なくとも部分的に画定することができる。各棚４２７aは、内側端部４１４ｅおよび外側端部４１４ｆとほぼ平行であることができる。ポケット４２４は、棚４２７aと外側端部４１４ｆとの間に配置することができる。コネクタハウジング４１２は、０.３ｍｍから０.７ｍｍまで、例えば０.５ｍｍの内側端部４１４ｅから外側端部４１４ｆまでの横断方向Ｔに沿った高さＨ３を画定することができる。コネクタハウジング４１２は、０.２ｍｍから０.４ｍｍまで、例えば０.３ｍｍの棚４２７ａへの内側端部４１４ｅから横断方向Ｔに沿った高さＨ４を画定することができる。
【００８２】
[0102]電気接点４０４は、電気接点１０４に関して、上に画定されたように、側面部４７５aおよび端縁４７５ｂを有することができる。電気接点４０４は、さらに、例えば横列方向Ｒに沿って、基礎４０４aの対向する側部から、少なくとも１つの保持翼４１５、例えば外方に突出する第１および第２対向する保持翼４１５を有する保持部分を有することができる。したがって、保持翼４１５は、電気接点４０４の対向する端縁を分離する第１方向に沿った対向する方向における基礎４０４aの対向する側面から外方に突出する。保持翼４１５は、基礎４０４a部分、および第１および第２スプリングアーム４０４ｂおよび４０４ｃのそれぞれのものの両方の外側寄りの位置に延びることができる。保持翼４１５は、選択した方向に沿った保持穴４２６の横断面の寸法よりもわずかに大きい、選択した方向に沿った距離、相互のコネクタから一定間隔で配置される、それぞれの遠位の自由先端４１５aに対して外方に突出することができる。したがって、保持翼４１５は、コネクタハウジング４１２内の電気接点４０２を保持するように、少なくとも１つの内部壁４２７に対して圧力嵌合することができる。したがって、１つの実施例にしたがって、電気接点４０４は、保持翼４１５と少なくとも１つの内部壁４２７との間のそれぞれの当接によって画定される、２つの位置だけでコネクタハウジング４１２に接触する。さらに、図９Ｂにおいて例証されるように、電気接点４０４の側面部は、対向する端縁を分離する第１方向に沿う対向する保持翼４１５間の長さの全体に沿って対向する側面部を分離する第２方向に沿って、少なくとも１つの内部壁４２７から一定間隔で配置される。さらに、側面部４２０は、保持翼４１５の一方から保持翼の他方まで、さらには、スプリングアーム４０４ｂおよび４０４ｃのそれぞれから設置端部４１８まで、連続的であることができる。さらに、電気接点４０４は、一方の側面部から他方の側面部まで、接点本体４０５を介して延びる、囲まれた開口を欠如することができる。ハンダリフロー動作中のハンダフラックスのウィッキングは、接点本体４０５とコネクタハウジング４１２との間の接触位置に向けられるので、電気接点は、任意のウィッキングが、保持翼４１５とコネクタハウジング４１２との間に生じるように構成され、このコネクタハウジングは、設置端部４１８とスプリングアーム４０４ｂおよび４０４ｃのそれぞれとの間のデータフローパスから偏倚される。したがって、データフローパスは、ウイックされたハンダフラックスをほぼ欠如している。さらに、接点本体は、穴４２４においてほぼ平担であるので、ハンダは、ハンダリフロー動作中、穴４２４をほぼ満たすことができる。各電気接点４０４は、およそ０.１ｍｍの長手方向Ｌにおいて厚さを画定することができる。したがって、各電気接点４０４の対向する側面部は、相互から、およそ０.１ｍｍの距離、一定間隔で配置することができる。厚さは、電気接点が型押しされるか、そうでなければ材料のシートからカットされる前に、電気接点４０４を形成する材料のシートによって画定することができる。保持翼４１５のそれぞれは、湾曲することができる。例えば、保持翼４１５のそれぞれは、半径によって画定す��ことができる。例えば、保持翼４１５のそれぞれは、およそ０.６ｍｍの半径によって画定することができる。保持翼４１５のそれぞれは、保持翼４１５が、コネクタハウジング４１２に当接する位置で画定される接点領域を画定することができる。接点領域は、したがって、コネクタハウジングとフィジカルコンタクトする保持翼４１５での電気接点の０.０１ｍｍから０.１５ｍｍまで横断方向Ｔに沿う長手方向Ｌおよび接点高さ寸法における電気接点４０４の厚さによって画定することができる。例えば、各翼４１５の接触高さ寸法は、０.０６ｍｍである。したがって、接点領域は、０.０１２ｍｍ平方のような、０.００１ｍｍ平方から０.０１５ｍｍ平方の間にあることができる。電気接点４０４が、接点高さ寸法を画定するようにコネクタハウジング４１２内に設置される場合、翼４１５で、コネクタハウジング４１２および電気接点一方または両方は、変形することができる。理論によってしばられることなしで、確信できることは、電気接点４０４およびコネクタハウジング４１２のすべてによって画定される累積的な接点領域の縮小が、そうでなければ、ハンダリフロー動作中に、コネクタハウジング４１２が、特に内部および外側端部４１４ｅおよび４１４ｆを変形することを引き起こすかも知れないコネクタハウジング４１２に対して電気接点４０４によって加えられる内部力を相応して縮小する従来の電気コネクタに関して縮小されるということである。内部力の縮小は、したがって、内部および外側端部の４１４ｅおよび４１４ｆの平担性を維持し、そしてさらに、ハンダボール４２２の共通平面性を維持する間に、コネクタハウジング４１４が、従来のコネクタハウジング４１４に関して横断方向Ｔに沿った縮小された高さを有することを可能にする。
【００８３】
[0103]今度は、また図１０Ａ−１０Ｂを参照すると、電気接点５０４のそれぞれは、結合インターフェース５０６から外方に突出する結合端部５１６と、設置インターフェース５０８から外方に延びる対向する設置端部５１８と、結合端部５１６と設置端部５１８との間に延びる先端部分５１９とを画定する接点本体５０５を有すことができる。ここにあたかもその全体において述べられるように参照によって組込まれる米国特許第６,０４２,３８９号に記述されるように、電気接点５０４のそれぞれは、プラグ接点として構成することができる。したがって、結合端部５１６は、平担で、かつ横方向Ａおよび横断方向Ｔによって画定される平面内に置かれるように方向付けられるブレードを画定することができる。結合端部５１６は、横断方向Ｔに沿う設置端部５１８と整列する遠位先端５２０を画定することができる。結合端部５１６は、第１および第２スプリングアーム４０４ｂおよび４０４ｃを分離するギャップよりも大きい横方向Ａにおける寸法を有することができる。
【００８４】
[0104]電気接点５０４は、さらに、設置インターフェース５０８に近接する設置端部５１８から突出するそれぞれのハンダボール５２２を有することができる。ハンダボール５２２は、取付けるか、そうでなければ設置端部５１８によって支持することができ、さらに、例えば設置端部５１８に溶着され、第２プリント回路基板上に第１電気コネクタ５００を位置することによって、かつ、第２電気コネクタ５００および第２プリント回路基板をハンダリフロープロセスにさらすことによって、対応する電気接点に設置されるように構成例えば、第２プリント回路基板の電気伝導性の接点パッド、例えば設置されるように構成される、それによって、ハンダボール５２２は、第２プリント回路基板のそれぞれの接点パッドに溶着する。ハンダボール５２２は、ハンダリフロープロセスが完成する前および後の両方で、設置インターフェース５０８に沿って全て相互と共通平面であることができる。したがって、第１電気コネクタ４００の設置端部でのハンダボール４２２の全ては、ハンダボール４２２が、第１プリント回路基板に対してリフローされる前および後の両方で、第１電気コネクタ４００を第１プリント回路基板に設置するように、第１平面において相互と共通平面である。同様に、第２電気コネクタ５００の設置端部でハンダボール５２２はすべて、ハンダボール５２２が、第２電気コネクタ５００を第２プリント回路基板に設置するように第２プリント回路基板にリフローされる前、および後の両方で第２平面において相互に共通平面である。第１平面は、第２平面と平行であることができる。さらに、電気接点５０４は、例証された設置端部５１８に限定されないこと、および、設置端部５１８は、代りに第２プリント回路基板の補完的なバイア内に挿入されるように構成される圧力嵌めのような望まれる任意の他の適切な可溶性の、または非可溶性要素で構成することができることは、認識されるべきである。
【００８５】
[0105]第２電気コネクタ５００は、横断方向Ｔに沿うハウジング本体５１４内に延びる複数のポケット５２４を画定することができる。例えば、ポケット５２４は、内側端部５２４ｅに向かって横断方向Ｔに沿うコネクタハウジング５１２の外側端部５１４ｆのハウジング本体５１４内に延びることができる。接点本体５０５の設置端部５１８は、ポケット５２４内に延びることができ、それは、ハンダボール５２２が、ポケット５２４のそれぞれのものに配置されるようなものである。したがって、接点本体５０５の設置端部５１８を有することができる電気接点５０４のそれぞれの接地端部、および、それぞれのハンダボール５２２は、ポケット５２４内に少なくとも部分的に配置することができる。したがって、電気接点５０４の第１アレイ５０２が、コネクタハウジング５１２によって支持される場合、各ハンダボール５２２は、複数のポケット５２４のそれぞれのものに、ハウジング本体５１４の外側端部５１４ｆに関して少なくとも部分的に凹所に置かれる。この点では、電気接点５０４の第１アレイ５０２のハンダボール５２２が、ハウジング本体５１４の外側端部５１４ｆに関して、外方に突出すると言うことができる。
【００８６】
[0106]図１０Ａ−Ｂについての継続的な参照によって、コネクタハウジング５１２は、さらに、ハウジング本体５１４の外側端部５１４ｆにコネクタハウジング５１２のハウジング本体５１４の内側端部５１４ｅから横断方向Ｔに沿ってハウジング本体５１４を介して延びる複数の保持開口を画定することができる。保持開口は、横断方向Ｔに沿ってコネクタハウジング５１２のハウジング本体５１４の内側端部５１４ｅ内に延びる保持穴５２６と、横断方向Ｔに沿った保持穴とほぼ整列される複数のポケット５２４とを有することができる。保持穴５２６のそれぞれは、電気接点５０４のそれぞれの保持部分を少なくとも部分的に受けるように構成することができ、それは、電気接点５０４の第１アレイ５０２が、コネクタハウジング５１２によって支持される場合、各電気接点５０４の結合端部５１６は、ハウジング本体５１４の内側端部５１４ｅに関して外方に突出する。各保持穴５２６は、少なくとも１つの内部壁５２７によって少なくとも部分的に画定することができる。さらに、保持穴５２６はそれぞれ、少なくとも部分的に内側端部５１４ｅと外側端部の間の位置で内部壁５２７から中へ５１４f延びる棚５２７ａによって画定することができる。各棚５２７ａは、内側端部５１４ｅおよび外側端部５１４ｆにほぼ平行であることができる。ポケット５２４は、棚５２７ａと外側端部５１４ｆ配との間に配置することができる。コネクタハウジング５１２は、０.２ｍｍから０.６ｍｍまで、例えば０.４ｍｍの内側端部５１４ｅから外側端部５１４ｆまで横断方向Ｔに沿う高さＨ５を画定することができる。コネクタハウジング５１２は、０.２ｍｍから０.４ｍｍまで、例えば０.３ｍｍの内側端部５１４ｅから棚５２７ａまで横断方向Ｔに沿う高さＨ６を画定することができる。
【００８７】
[0107]電気接点５０４は、電気接点２０４に関して上に画定されたような側面部５７５ａおよび端縁５７５ｂを有することができる。電気接点５０４は、さらに、少なくとも１つの保持翼５１５、例えば、先端部分５１９の対向する側部から外方に、例えば、横列方向Ｒに沿って、突出する第１および第２対向する保持翼５１５を有する保持部分を有する。したがって、保持翼５１５は、電気接点５０４の対向する端縁を分離する第１方向に沿った対向する方向における基礎５０４ａの対向する側部から外方に突出する。保持翼５１５は、結合端部５１６および設置端部５１８の一方または両方の外側部の位置まで延びることができる。保持翼５１５は、相互のコネクタから、選択した方向に沿った保持穴５２６の横断面の寸法よりわずかに大きい、選択した方向に沿う距離、一定間隔で配置されるそれぞれの自由な遠位先端５１５ａに対して外方に突出することができる。したがって、保持翼５１５は、コネクタハウジング５１２における電気接点５０２を保持するように、少なくとも１つの内部壁５２７に対して圧力嵌めすることができる。したがって、保持翼５１５は、コネクタハウジング５１２における電気接点５０２を保持するように、少なくとも１つの内部壁５２７に対して圧力嵌めすることができる。したがって、１つの実施例にしたがって、電気接点５０４は、保持翼５１５と少なくとも１つの内部壁５２７との間のそれぞれの当接によって画定される、２つの位置だけでコネクタハウジング５１２に接触する。さらに、図１０Ｂにおいて例証されるように、電気接点５０４の側面部は、対向する端縁を分離する第１方向に沿う対向する保持翼５１５の間の全体の長さに沿って、対向する側面部を分離する第２方向に沿って、少なくとも１つの内部壁５２７から一定間隔で配置される。ハンダリフロー動作中のハンダフラックスのウィッキングが、接点本体５０５とコネクタハウジング５１２との間の接触位置に対して向けられるので、電気接点は、任意のウィッキングが、保持翼５１５と結合端部５１６と設置端部５１８との間のデータフローパスから偏倚されるコネクタハウジング５１２との間に生じるように構成される。したがって、データフローパスは、ウィックハンダフラックスをほぼ欠如している。さらに、接点本体が、穴５２６においてほぼ平担であるので、ハンダは、ハンダリフロー動作中に穴５２６をほぼ満たすことができる。各電気接点５０４は、およそ０.１ｍｍの長手方向Ｌにおける厚さを画定することができる。したがって、各電気接点５０４の対向する側面部は、相互からおよそ０.１ｍｍの距離、一定間隔で配置することができる。厚さは、電気接点が型押しされるか、そうでなければ材料のシートからカットされる前に、電気接点５０４を形成する材料のシートによって画定することができる。保持翼５１５のそれぞれは、湾曲することができる。例えば、保持翼５１５のそれぞれは、半径によって画定することができる。例えば、保持翼５１５のそれぞれは、およそ０.６ｍｍの半径によって画定することができる。保持翼５１５のそれぞれは、保持翼５１５が、コネクタハウジング５１２に当接する位置で画定される接点領域を画定することができる。接点領域は、したがって、コネクタハウジングとの物理的な接触にある保持翼５１５での電気接点の、０.０１ｍｍから０.１５ｍｍまでの横断方向Ｔに沿う、長手方向Ｌおよび接点高さ寸法における電気接点５０４の厚さによって画定することができる。例えば、各翼４１５の接触高さ寸法は０.０６ｍｍである。したがって、接点領域は、０.０１２ｍｍ平方のような、０.００１ｍｍ平方と０.０１５ｍｍ平方との間にあることができる。保持翼５１５での、コネクタハウジング５１２および電気接点の一方または両方は、電気接点５０４が、接点高さ寸法を画定するようにコネクタハウジング５１２内に設置される場合、変形することができる。理論によって拘束されることなしに、電気接点５０４およびコネクタハウジング５１２のすべてによって画定される累積的な接点領域の縮小は、従来の電気コネクタに関して縮小されるということは、確認することができる。コネクタハウジング５１２が、ハンダリフロー動作中に、特に、内部端部および外側端部５１４ｅおよび５１４ｆを変形するためにそうでなければ引き起こすかもしれない電気接点５０４によってコネクタハウジング５１２に加えられた内部力を相応して縮小する。したがって、内部力の縮小は、内部端部および外側端部５１４ｅおよび５１４ｆの平坦性を維持し、さらにハンダボール５２２の共通平面性を維持する間に、コネクタハウジング５１４が、従来のコネクタハウジング５１４に関して横断方向Ｔに沿う縮小された高さを有することが可能である。
【００８８】
[0108]第１および第２電気コネクタ４００および５００のそれぞれが、第１および第２電気コネクタ４００および５００が結合する方向Ｍに沿って相互と結合する場合に、それぞれの電気接点４０４および５０４が結合するように整列することを確実にするように相互に係合するように構成される少なくとも１つの整列部材を有することができる。第１および第２電気コネクタ４００および５００のそれぞれは、さらに、第１および第２電気コネクタ４００および５００が、相互に関係して所定の方向付けにあり、それによって、第１および第２電気コネクタ１００および２００が相互に結合する場合に、相対的な方向付けを確実にする場合に限って相互に係合するように構成される少なくとも１つの方向付け部材を有することができる。例えば、１つの実施例にしたがって、第１電気コネクタ４００は、内側端部４１４ｅから外側端部４１４ｆに向かって、例えば、内側端部４１４ｅから外側端部４１４ｆまでの、少なくともコネクタハウジング４１２内に延びる第１凹所４５５aおよび第２凹所４５５ｂのような、少なくとも１つの凹所を有することができる。第１凹所４５５aは、コネクタハウジング４１２の第１側部４１４aに配置することができ、さらに、第２凹所４５５ｂは、コネクタハウジング４１２の第２側部４１４ｂに配置することができる。凹所４５５ａおよび４５５ｂは、長手方向Ｌに沿って異なる長さを画定することができる。
【００８９】
[0109]第２電気コネクタ５００は、横断方向Ｔに沿う内側端部５１４ｅから外方に延びる第１突部５５５ａおよび第２突部５５５ｂのような少なくとも１つの突部を有することができる。第１突部５５５ａは、第１側部５１４ａに配置することができ、さらに、第２突部５５５ｂは、第２側部５１４ｂに配置することができる。第１突部５５５ａは、第１凹所４５５ａ内に受けられるように寸法採りされた長手方向に沿う長さを画定することができる。第２突部５５５ｂは、２つの第２突部部分を画定するように、分割することができ、または、単一の連続的な構造であることができ、かつ、第２凹所４５５ｂ内に受けられるように寸法採りされ、かつ、第１凹所４５５ａのそれより大きく寸法どりされた長手方向Ｌに沿う長さを画定することができる。したがって、第１突部５５５ａが、第１凹所４５５ａと整列し、さらに、第２突部５５５ｂは、第２凹所４５５ｂと整列する場合、第１および第２電気コネクタ４００および５００は、相互に単に結合することができる。第１および第２電気コネクタ４００および５００が、望まれるような任意の適切な代りの整列部材も有することができることは、認識されるべきである。例えば、第１電気コネクタ４００は、１つまたはそれ以上の突肉部を有することができ、さらに、第２電気コネクタ５００は、１つまたはそれ以上の凹所を有することができる。
【００９０】
[0110]今度はまた図８Ａ−８Ｂおよび１１Ａ−１１Ｂを参照して、電気接点５０４の結合端部５１６は、第１および第２電気コネクタ４００および５００が相互に結合する場合、縦列方向Ｃに沿ってそれぞれのスプリングアーム４０４ｂおよび４０４ｃの間に挿入されるように、それぞれの電気接点４０４の結合端部４１６と整列する。スプリングアームは４０４ｂおよび４０４ｃは、結合端部４１６がその間に挿入されるので、縦列方向Ｃに沿う基礎４０４ａに関して相互から離れてたわむように、弾力的に柔軟で、弾性がある。スプリングアーム４０４ｂおよび４０４ｃのたわみは、スプリングアーム４０４ｂと４０４ｃとの間に挿入される結合端部５１６に対する正常なスプリング力を画定する。結合端部５１６が、隣接したスプリングアーム４０４ｂおよび４０４ｃの間のギャップより大きい横列方向に沿う長さを画定するので、結合端部５１６は、それぞれ、第１および第２スプリングアーム４０４ｂおよび４０４ｃによって第１および第２接触位置Ｃ１およびＣ２を画定する。第１および第２接触位置Ｃ１およびＣ２は、結合端部５１６の対向する側部に配置することができる。例えば、第１および第２接触位置Ｃ１およびＣ２は、電気接点５０４の対向する側面部に配置することができる。したがって、電気接点４０４のそれぞれは、電気接点５０４のそれぞれのものとの物理的かつ電気接触に置かれ、さらに、電気接点５０４のそれぞれは、電気接点４０４のそれぞれのものとの物理的かつ電気接触に置かれる。第１電気コネクタ４００の電気接点４０４の結合端部４１６は、電気接点５０４をと結合するように、上述した第２電気コネクタ５００の電気接点５０４の補完的な結合端部を受けるように構成されるそれぞれの結合端部として構成されるレセプタクル結合端部として構成することができる。この点では、第１電気コネクタ４００は、レセプタクル電気コネクタと呼ぶことができ、さらに、第２電気コネクタ５００は、ヘッダ電気コネクタと呼ぶことができる。しかしながら、第１および第２電気コネクタ４００および５００が、それぞれ、例証された結合端部に限定されないこと、さらには、第１および第２電気コネクタ４００および５００の一方または両方の電気接点が、代りに、望まれるような任意の他の適切な結合端部をもって構成することができることは、認識されるべきである。例えば、第１および第２電気コネクタ４００または５００の電気接点は、代りに、その方法における電気レセプタクル接点によって構成することができる。
【００９１】
[0111]第１および第２電気コネクタ４００および５００が、相互に完全に結合する場合、電気コネクタ組立体３１０は、その間に下方端を有し、かつおよそ１ｍｍとおよそ２ｍｍ、および、その間の０.１ｍｍの増分を有する範囲内にスタック高さを画定することができる。その範囲は、その間に上方端を有し、かつ、およそ２ｍｍとおよそ４ｍｍ、および０.１ｍｍの増分を有する。例えば、スタック高さは、およそ２ｍｍであることができる。スタック高さは、さらにおよそ３ｍｍである。スタック高さは、コネクタハウジング４１２のハウジング本体４１４の内側端部４１４ｅから最も遠くに間隔を置かれる電気接点４０４のハンダボール４２２上のそれぞれの位置と、ハウジング本体５１４の内側端部５１４ｅから最も遠くに間隔を置かれる電気接点５０４のハンダボール５２２上のそれぞれの位置との間の横断方向Ｔに沿う距離によって画定することができる。格別に述べなければ、スタック高さは、第１電気コネクタ４００のハンダボール４２２および第２電気コネクタ５００のハンダボール５２２の横断方向Ｔに沿って、対向する最外側の終端部によって画定することができる。
【００９２】
[0112]図において示される実施例の例証および説明が、代表的な目的のためだけであり、かつ、開示を限定して解釈されるべきでないことは認識されるべきである。技術に熟練している者は、この開示が様々な実施例を期待することを認識する。さらに、上記実施例で上述された概念が、単独で、または、上述された他の実施例の任意のものと結合して使用されてもよいことは理解されるべきである。例えば、もし格別に示されなかったならば、第１および第２電気コネクタ１００−２００の整列部材は、第１および第２電気コネクタ３００−４００の整列部材などと組合せることができるか、そうでなければ、それらと統合することができることは認識されるべきである。さらに、１つの例証された実施例に関して上述された様々な他の実施例は、もし格別に示されなかったならば、ここに記述されるようなすべての実施例に適用されることができることは認識されるべきである。
【図１】
2018032638.tif 000003
【図２】
2018032638.tif 000004
【図３Ａ】
2018032638.tif 000005
【図３Ｂ】
2018032638.tif 000006
【図４】
2018032638.tif 000007
【図５】
2018032638.tif 000008
【図６Ａ】
2018032638.tif 000009
【図６Ｂ】
2018032638.tif 000010
【図６Ｃ】
2018032638.tif 000011
【図７Ａ】
2018032638.tif 000012
【図７Ｂ】
2018032638.tif 000013
【図７Ｃ】
2018032638.tif 000014
【図７Ｄ】
2018032638.tif 000015
【図８Ａ】
2018032638.tif 000016
【図８Ｂ】
2018032638.tif 000017
【図９Ａ】
2018032638.tif 000018
【図９Ｂ】
2018032638.tif 000019
【図１０Ａ】
2018032638.tif 000020
【図１０Ｂ】
2018032638.tif 000021
【図１１Ａ】
2018032638.tif 000022
【図１１Ｂ】
2018032638.tif 000023
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
コネクタハウジングと;
コネクタハウジングによって支持される複数の電気接点と;
を有してなり、電気接点は、単に２つの位置でのみコネクタハウジングに接触し、かつ、その２つの位置のそれぞれは、０.０１５ｍｍ平方ミリメートルに対する０.００１ｍｍ平方の接点領域を画定する電気コネクタ。
【請求項２】
コネクタハウジングは、横断方向に沿って相互から一定間隔で配置された内側端部および外側端部を画定し、電気接点は、１）横断方向に垂直である長手方向に沿って相互から一定間隔で配置される第１および第２対向する側面部、および、２）横断方向および長手方向の両方に垂直である横方向に沿って相互から一定間隔で配置される第１および第２対向する端縁、を画定し、さらに、側面部は、長手方向および横方向によって画定される平面における端縁より長い請求項１記載の電気コネクタ。
【請求項３】
電気接点は、それぞれ、０.１ｍｍの長手方向に沿う厚さを有する請求項２記載の電気コネクタ。
【請求項４】
それぞれの位置は、０.０１ｍｍから０.１５ｍｍまでの横断方向に沿う接点高さ寸法を画定する請求項２および３のいずれか１項記載の電気コネクタ。
【請求項５】
各位置の接点高さ寸法は、０.０６ｍｍである請求項４記載の電気コネクタ。
【請求項６】
電気接点は、２つの保持翼を画定し、さらに、２つの位置は、保持翼とコネクタハウジングとの間のそれぞれの当接によって画定される請求項１記載の電気コネクタ。
【請求項７】
保持翼は、それぞれ半径０.６ｍｍによって画定される請求項６記載の電気コネクタ。
【請求項８】
第１コネクタハウジングと;
第１コネクタハウジングによって支持される第１電気接点の第１アレイであって、この第１電気接点の第１アレイは、相互から一定間隔で配置され、かつ第１方向に沿って延びる第１電気接点の少なくとも２つの横列と、相互から一定間隔で配置され、かつ第１方向にほぼ垂直である第２方向に沿って延びる第１電気接点の少なくとも２つの縦列とであって、電気接点の少なくとも２つの横列のそれぞれは、第１電気接点の少なくとも２縦列のそれぞれと交差するものとを有してなり;
第１電気接点のそれぞれは、結合端部および設置端部を画定し、電気接点のそれぞれの結合端部は、１対の一定間隔で配置されたスプリングアームによって画定されたレセプタクルである; 第１電気コネクタと:
さらには、第２コネクタハウジングと;
第２コネクタハウジングによって支持される第２電気接点の第２アレイであって、この第２電気接点の第２アレイは、相互から一定間隔で配置され、かつ第１方向に沿って延びる第２電気接点の少なくとも２横列と、相互から一定間隔で配置され、かつ第１方向にほぼ垂直である第２方向に沿って延びる第２電気接点の少なくとも２縦列とであって、第２電気接点の少なくとも２横列のそれぞれは、第２電気接点の少なくとも２縦列のそれぞれと交差するものとを有してなり;
第２電気接点のそれぞれは、結合端部および設置端部を画定し、電気接点のそれぞれの結合端部は、第２電気接点の補完的な１つのスプリングアームの間で受けられるように構成されるプラグであり、それは、電気組立体が、およそ１ｍｍとおよそ４ｍｍの間の範囲にスタック高さを画定するようなものである第２電気コネクタと:を有する電気組立体。
【請求項９】
スタック高さは、およそ２ｍｍである請求項８記載の電気組立体。
【請求項１０】
電気コネクタのそれぞれは、さらに、それぞれの設置端部での電気接点のそれぞれに溶融するハンダボールを有する請求項９記載の電気組立体。
【請求項１１】
ハンダボールは、接点がコネクタハウジングによって支持されている間に、それぞれの設置端部での電気接点上にリフローされる請求項１０記載の電気組立体。
【請求項１２】
各電気コネクタの設置端部でハンダボールは、すべて相互に共通平面である請求項１１記載の電気組立体。
【請求項１３】
第１電気コネクタの設置端部でのハンダボールは、第１平面において相互に共通平面であり、かつ、第２電気コネクタの設置端部でのハンダボールは、第２平面において相互に共通平面であり、さらに、第１平面は、第２平面と平行である請求項１２記載の電気組立体。
【請求項１４】
ハンダボールは、コネクタハウジングの窪んだ領域に少なくとも部分的に存在する請求項１０記載の電気組立体。
【請求項１５】
ハウジング本体とこのハウジング本体を介して延びる複数の保持穴とを有するコネクタハウジングであって、ハウジング本体の少なくとも１つの内部壁によって画定される各保持穴であって各保持穴は選択した方向に沿う横断面の寸法を画定するものと;
コネクタハウジングに支持される電気接点のアレイであって、この電気接点のアレイは相互から一定間隔で配置され、かつ第１方向に沿って延びる電気接点の少なくとも２横列を有し、さらに相互いから一定間隔で配置され、かつ第１方向にほぼ垂直である第２方向に沿って延びる電気接点の少なくとも２縦列であって、電気接点の少なくとも２横列のそれぞれが電気接点の少なくとも２縦列のそれぞれと交差するものと;
電気接点のそれぞれは、結合する端部と、結合端部と対向する設置端部と、それぞれの設置端部での電気接点のそれぞれに融合されたそれぞれのハンダボールと、結合端部と設置端部との間に延びる先端部分とを画定してなり、電気接点のそれぞれは、さらに、相互から一定間隔で配置される、自由な遠位先端が、保持穴のそれぞれのものの内に圧力嵌めされるように、横断面寸法より大きい選択した方向に沿う距離、相互から一定間隔で配置されるそれぞれの自由な遠位先端への先端部分の対向側部から外方に突出する１対の保持翼を有し、さらに先端部分は、保持翼の一方から保持翼の他方へ選択した方向に垂直である第２方向に沿う少なくとも１つの内部壁から一定間隔で配置されるものを有する電気コネクタ。
【請求項１６】
電気接点のそれぞれの結合端部は、電気コネクタが、相互に結合され、それによって、およそ１ｍｍとおよそ４ｍｍとの間の範囲におけるスタック高さを画定する場合に、補完的な電気コネクタの電気接点のプラグ結合端部を受けるように構成される１対のスプリングアームによって画定されるレセプタクルである請求項１５記載の電気コネクタ。
【請求項１７】
電気接点のそれぞれの結合端部は、電気コネクタが、相互に結合され、それによって、およそ１ｍｍとおよそ４ｍｍとの間の範囲におけるスタック高さを画定する場合に、補完的な電気コネクタの電気接点である１対のスプリングアームによって受けられるように構成される平担なブレードである請求項１５記載の電気コネクタ。
【請求項１８】
各電気接点は、選択した方向に沿って相互から一定間隔で配置された１対の端縁、および、第１方向に関して垂直である第２方向に沿って相互から一定間隔で配置された１対の対向する側面部を画定し、それは、側面部が、電気接点と交差での電気接点にほぼ直角に方向付けられる平面との交差に沿う端縁より長いようなものである請求項１５記載の電気コネクタ。
【請求項１９】
側面部のそれぞれは、保持翼の一方から保持翼の他方に連続していることを特徴とする請求項１８記載の電気コネクタ。
【請求項２０】
電気接点は、一方の側面部から他方の側面部まで接点本体を介して延びる取囲まれた開口を欠如する請求項１９記載の電気コネクタ。
【請求項２１】
電気絶縁性のコネクタハウジングと;
設置端部に対向して配置される基板および結合端部上に設置するように構成される設置端部を画定するように、コネクタハウジングによって支持されるジェンダ−中立の電気接点のアレイであって、電気接点のアレイの電気接点のそれぞれは、第１および第２対向する側面部および第１および第２対向する端縁と、端縁より長い側面部とを画定し、電気接点のアレイは、複数の横列を画定し、縦列方向に沿って一定間隔で配置される複数の横列、および、横列の方向に沿って一定間隔で配置される複数の縦列を画定し、それは、各横列の電気接点の隣接したものの端縁と各縦列の電気接点の隣接したものの側面部とが相互に対面するようなものと;を有してなり、
結合端部のそれぞれは、湾曲を画定するように曲げられ、さらに、電気接点は、縦列方向に沿って整列する第１、第２、第３電気接点を画定し、それは、第２電気接点が、第１および第３電気接点の間に隣接して配置され、第１および第２電気接点の結合端部の湾曲が、相互に対面し、かつ、第２および第３電気接点の結合端部の湾曲が、相互から離れて対面するようであり、第１距離は、縦列方向に沿って第１電気接点の結合端部から第２電気接点の結合端部に画定され、さらに、第２距離は、縦列方向に沿って第２電気接点の結合端部から第３電気接点の結合端部に画定され、かつ、第１距離は、第２距離未満であるようなものである電気コネクタ。
【請求項２２】
各設置端部は、可溶要素を有する請求項２１記載の電気コネクタ。
【請求項２３】
第１電気接点の結合端部は、第２電気接点に関して凹面である請求項２１記載の電気コネクタ。
【請求項２４】
第２電気接点の結合端部は、第１電気接点に関して凹面である請求項２３記載の電気コネクタ。
【請求項２５】
第１、第２、および第３電気接点のそれぞれは、ほぼ第１、第２、および第３電気接点とほぼ同一に形作られるそれぞれの１つの電気接点と結合するように構成される請求項２１記載の電気コネクタ。
【請求項２６】
電気接点のアレイは開放したピンフィールドを画定する請求項２１記載の電気コネクタ。
【請求項２７】
電気接点の湾曲は、各縦列の接点から隣接する接点までの方向に交互である請求項２１記載の電気コネクタ。
【請求項２８】
縦列方向に沿って各縦列の電気接点の結合端部を介して延びるラインは、コネクタハウジングを通り抜けることなしに、それぞれの縦列における各電気接点の湾曲を通り抜ける請求項２１記載の電気コネクタ。
【請求項２９】
縦列の１つにおける各電気接点の結合端部を介して延びるラインは、電気接点の隣接したものの湾曲間の空気をのみ通り抜ける請求項２１記載の電気コネクタ。
【請求項３０】
１）コネクタハウジングは、ハウジング本体、および横断方向に垂直な方向に沿った1寸法に沿って互いから一定間隔で配置された第１と第２保持リブのそれぞれの多数を画定するように横断方向でのハウジング本体によって延びる複数の保持開口を有し、２）電気接点は、第１および第２側面部が、第１および第２保持リブのそれぞれのものに対して圧力嵌めであるような保持開口のそれぞれのもの内に配置され、３）第１および第２保持リブのそれぞれが、０.０２ｍｍと０.１５ｍｍとの間の横断方向に沿う高さを有する請求項２１記載の電気コネクタ。
【請求項３１】
第１および第２保持リブの一方の高さは、０.０４ｍｍであり、かつ、第１および第２保持リブの他方の高さは、０.０８ｍｍである請求項３０記載の電気コネクタ。
【請求項３２】
コネクタハウジングと;
コネクタハウジングによって支持される電気接点のアレイであって、この電気接点のアレイは、相互から一定間隔で配置され、かつ第１方向に沿って延びる電気接点の少なくとも２横列と、相互から一定間隔で配置され、かつ第１方向にほぼ垂直である第２方向に沿って延びる電気接点の少なくとも２縦列とを有し、電気接点の少なくとも２つの横列のそれぞれは、電気接点の少なくとも２縦列のそれぞれと交差するものとを有し;
電気接点のそれぞれは、およそ１ｍｍとおよそ４ｍｍとの間の範囲におけるスタック高さを画定するように、電気コネクタが結合する場合に、電気接点のそれぞれの結合端部は、補完的な電気コネクタの電気接点の補完的な結合端部と結合するように構成される、結合端部および設置端部を画定する電気コネクタ。
【請求項３３】
スタック高さは、およそ３ｍｍである請求項３２記載の電気コネクタ。
【請求項３４】
さらに、それぞれの設置端部での電気接点のそれぞれ溶融するハンダボールを有する請求項３２記載の電気コネクタ。
【請求項３５】
スタック高さは、それぞれ、電気コネクタおよび補完的な電気コネクタのハンダボールの対向する最外側の端部によって画定される請求項３４記載の電気コネクタ。
【請求項３６】
設置端部のハンダボールは、すべて相互に共通平面である請求項３４記載の電気コネクタ。
【請求項３７】
ハンダボールは、コネクタハウジングの窪んだ領域に少なくとも部分的に存在する請求項３６記載の電気コネクタ。
【請求項３８】
スタック高さは、およそ１.５ｍｍとおよそ２.５ｍｍとの間の範囲にある請求項３７記載の電気コネクタ。
【請求項３９】
電気接点は、単に２つの位置でのみコネクタハウジングに接触し、さらに、２つの位置のそれぞれは、０.０１５ｍｍ平方対０.００１ｍｍ平方の接点領域を画定する請求項３２の電気コネクタ。
【請求項４０】
電気接点のそれぞれの結合端部は、プラグを有し、補完的な電気接点の結合端部は、それぞれ、プラグの１つを受けるレセプタクルを有する請求項３２から３９のいずれか１項記載の電気コネクタ。
【請求項４１】
電気接点のそれぞれの結合端部は、１対のスプリングアームによって画定されるレセプタクルを有し、さらに、各補完的な結合端部は、レセプタクルの１つによって受けられるプラグを有する請求項３２から３９のいずれか１項記載の電気コネクタ。
【手続補正２】
【補正対象書類名】明細書
【補正対象項目名】００９２
【補正方法】変更
【補正の内容】
【００９２】
[0112]図において示される実施例の例証および説明が、代表的な目的のためだけであり、かつ、開示を限定して解釈されるべきでないことは認識されるべきである。技術に熟練している者は、この開示が様々な実施例を期待することを認識する。さらに、上記実施例で上述された概念が、単独で、または、上述された他の実施例の任意のものと結合して使用されてもよいことは理解されるべきである。例えば、もし格別に示されなかったならば、第１および第２電気コネクタ１００−２００の整列部材は、第１および第２電気コネクタ３００−４００の整列部材などと組合せることができるか、そうでなければ、それらと統合することができることは認識されるべきである。さらに、１つの例証された実施例に関して上述された様々な他の実施例は、もし格別に示されなかったならば、ここに記述されるようなすべての実施例に適用されることができることは認識されるべきである。
以下に、本願出願の当初の特許請求の範囲に記載された発明を付記する。
［１］  コネクタハウジングと;
コネクタハウジングによって支持される電気接点のアレイであって、この電気接点のアレイは、相互から一定間隔で配置され、かつ第１方向に沿って延びる電気接点の少なくとも２つの横列と、相互から一定間隔で配置され、かつ、第１方向にほぼ垂直である第２方向に沿って延びる電気接点の少なくとも２つの縦列を有し、電気接点の少なくとも２つの横列のそれぞれは、電気接点の少なくとも２つの縦列のそれぞれと交差するものと;
整列部材が、電気接点の少なくとも２横列間に配置されるような電気接点のアレイに配置され、さらに電気接点の少なくとも２縦列間に配置される整列部材とを有する電気コネクタ。
［２］  整列部材は、電気接点のアレイのほぼ幾何学的な中心に配置される［１］記載の電気コネクタ。
［３］  整列部材は、第１方向および第２方向の両方にほぼ垂直である第３方向に沿うコネクタハウジングに関して外方に延びるポストを有する［１］記載の電気コネクタ。
［４］  整列部材は、さらに、ポストに隣接して配置されるレセプタクルを有する［３］記載の電気コネクタ。
［５］  レセプタクルは、第２方向に沿うポストから一定間隔で配置され、かつ、整列される［４］記載の電気コネクタ。
［６］  電気接点のアレイの各電気接点は、結合端部および対向する設置端部を有し、さらに、設置端部に配置される可融要素を有する［５］記載の電気コネクタ。
［７］  コネクタハウジングは、外部周囲を画定するハウジング本体を有し、かつ、コネクタハウジングは、さらに、周囲の一部に沿ってハウジング本体から突出する第２整列部材を有する［１］記載の電気コネクタ。
［８］  １）コネクタハウジングは、ハウジング本体、および横断方向に垂直な方向に沿う寸法に沿って相互から一定間隔で配置された第１および第２保持リブのそれぞれの複数を画定するように、横断方向におけるハウジング本体を介して延びる複数の保持開口を有し、２）電気接点は、保持開口のそれぞれのものに圧力嵌めされ、さらに、３）第１および第２保持リブのそれぞれは、０.０２ｍｍと０.１５ｍｍ間の横断方向に沿う高さを有する［１］記載の電気コネクタ。
［９］  第１および第２保持リブの一方の高さは、０.０４ｍｍであり、さらに、第１および第２保持リブの他方の高さは、０.０８ｍｍである［８］記載の電気コネクタ。
［１０］  第１コネクタハウジングと、第１コネクタハウジングによって支持される電気接点の第１アレイと、外部周囲を画定し、かつ、第１整列部材の外部周囲が、電気接点の第１アレイのそれぞれの電気接点によってほぼ取囲まれるような電気接点の第１アレイ内に配置される第１整列部材とを有する第１電気コネクタと;
第１電気コネクタに結合するように構成される第２電気コネクタであって、第２電気コネクタは、第２コネクタハウジングと、第２コネクタハウジングによって支持される電気接点の第２アレイと、外部周囲を画定し、かつ、第２整列部材の外部周囲が、電気接点の第２アレイのそれぞれの電気接点によって取囲まれるように電気接点の第２アレイ内に配置される第２整列部材であって、第１および第２電気コネクタが相互に結合するので、相互に関連のある電気接点の第１および第２アレイをほぼ整列させるように第１電気コネクタの第１整列部材と結合するように構成される第２整列部材とを有する電気コネクタ組立体。
［１１］  第１アレイの電気接点は、第１および第２整列部材が相互に整列しない場合は、第２アレイの電気接点と結合しない［１０］記載の電気コネクタ組立体。
［１２］  第１整列部材は、第１ポストおよびこの第１ポストに隣接して配置される第１レセプタクルを有し、さらに、第２整列部材は、第２ポストおよびこの第２ポストに隣接して配置される第２レセプタクルを有し、さらに、第１電気コネクタが、第２電気コネクタに結合する場合、第１ポストは、第２レセプタクル内に受けられ、かつ、第２ポストは、第１レセプタクル内に受けられる［１０］記載の電気コネクタ組立体。
［１３］  第１整列部材は、電気接点の第１アレイのほぼ幾何学的中心に配置され、さらに、第２整列部材は、電気接点の第２アレイのほぼ幾何学的中心に配置される［１０］記載の電気コネクタ組立体。
［１４］  電気接点の第１アレイの各電気接点は、結合端部、および可溶要素を支持する、反対された設置端部を有し、さらに、電気接点の第２アレイの各電気接点は、結合端部、および可溶部を支持する対向する設置端部を有する［１０］記載の電気コネクタ組立体。
［１５］  第１および第２電気コネクタが相互に結合する場合、電気接点の第１アレイの各可溶要素は、電気接点の第２アレイの対応する可溶要素から一定間隔、１ｍｍ〜４ｍｍの距離、に配置される［１４］記載の電気コネクタ組立体。
［１６］  距離は、およそ２ｍｍである［１５］記載の電気コネクタ組立体。
［１７］  第１および第２電気コネクタは、相互に関してほぼ同一である［１０］記載の電気コネクタ組立体。
［１８］  １）コネクタハウジング供給のそれぞれは、ハウジング本体、および横断方向に垂直な方向に沿う寸法に沿って相互から一定間隔で配置される第１および第２保持リブのそれぞれの複数を画定するように横断方向におけるハウジング本体を介して延びる複数の保持開口を有する、２）電気接点は、保持開口のそれぞれのもの内に加圧嵌めされ、および、３）第１および第２保持リブのそれぞれは、横断方向に沿う０.０２ｍｍと０.１５ｍｍとの間の高さを有する［１０］記載の電気コネクタ。
［１９］  第１および第２保持リブの一方の高さは、０.０４ｍｍであり、第１および第２保持リブの他方の高さは、０.０８ｍｍである［１８］記載の電気コネクタ。
［２０］  電気絶縁性のコネクタハウジングと;
設置端部に対向して配置される基板および結合端部上に設置するように構成される設置端部を画定するように、コネクタハウジングによって支持されるジェンダ−中立の電気接点のアレイであって、電気接点のアレイの電気接点のそれぞれは、第１および第２対向する側面部および第１および第２対向する端縁と、端縁より長い側面部とを画定し、電気接点のアレイは、  複数の横列を画定し、縦列方向に沿って一定間隔で配置される複数の横列、および、横列の方向に沿って一定間隔で配置される複数の縦列を画定し、それは、各横列の電気接点の隣接したものの端縁と各縦列の電気接点の隣接したものの側面部とが相互に対面するようなものと;を有してなり、
結合端部のそれぞれは、湾曲を画定するように曲げられ、さらに、電気接点は、縦列方向に沿って整列する第１、第２、第３電気接点を画定し、それは、第２電気接点が、第１および第３電気接点の間に隣接して配置され、第１および第２電気接点の結合端部の湾曲が、相互に対面し、かつ、第２および第３電気接点の結合端部の湾曲が、相互から離れて対面するようであり、第１距離は、縦列方向に沿って第１電気接点の結合端部から第２電気接点の結合端部に画定され、さらに、第２距離は、縦列方向に沿って第２電気接点の結合端部から第３電気接点の結合端部に画定され、かつ、第１距離は、第２距離未満であるようなものである電気コネクタ。
［２１］  各設置端部は、可溶要素を有する［２０］記載の電気コネクタ。
［２２］  第１電気接点の結合端部は、第２電気接点に関して凹面である［２０］記載の電気コネクタ。
［２３］  第２電気接点の結合端部は、第１電気接点に関して凹面である［２２］記載の電気コネクタ。
［２４］  第１、第２、および第３電気接点のそれぞれは、ほぼ第１、第２、および第３電気接点とほぼ同一に形作られるそれぞれの１つの電気接点と結合するように構成される［２０］記載の電気コネクタ。
［２５］  電気接点のアレイは開放したピンフィールドを画定する［２０］記載の電気コネクタ。
［２６］  電気接点の湾曲は、各縦列の接点から隣接する接点までの方向に交互である［２０］記載の電気コネクタ。
［２７］  縦列方向に沿って各縦列の電気接点の結合端部を介して延びるラインは、コネクタハウジングを通り抜けることなしに、それぞれの縦列における各電気接点の湾曲を通り抜ける［２０］記載の電気コネクタ。
［２８］  縦列の１つにおける各電気接点の結合端部を介して延びるラインは、電気接点の隣接したものの湾曲間の空気をのみ通り抜ける［２０］記載の電気コネクタ。
［２９］  １）コネクタハウジングは、ハウジング本体、および横断方向に垂直な方向に沿った1寸法に沿って互いから一定間隔で配置された第１と第２保持リブのそれぞれの多数を画定するように横断方向でのハウジング本体によって延びる複数の保持開口を有し、２）電気接点は、第１および第２側面部が、第１および第２保持リブのそれぞれのものに対して圧力嵌めであるような保持開口のそれぞれのもの内に配置され、３）第１および第２保持リブのそれぞれが、０.０２ｍｍと０.１５ｍｍとの間の横断方向に沿う高さを有する［２０］記載の電気コネクタ。
［３０］  第１および第２保持リブの一方の高さは、０.０４ｍｍであり、かつ、第１および第２保持リブの他方の高さは、０.０８ｍｍである［２９］記載の電気コネクタ。
［３１］  コネクタハウジングと;
コネクタハウジングによって支持される電気接点のアレイであって、この電気接点のアレイは、相互から一定間隔で配置され、かつ第１方向に沿って延びる電気接点の少なくとも２横列と、相互から一定間隔で配置され、かつ第１方向にほぼ垂直である第２方向に沿って延びる電気接点の少なくとも２縦列とを有し、電気接点の少なくとも２つの横列のそれぞれは、電気接点の少なくとも２縦列のそれぞれと交差するものとを有し;
電気接点のそれぞれは、およそ１ｍｍとおよそ４ｍｍとの間の範囲におけるスタック高さを画定するように、電気コネクタが結合する場合に、電気接点のそれぞれの結合端部は、補完的な電気コネクタの電気接点の補完的な結合端部と結合するように構成される、結合端部および設置端部を画定する電気コネクタ。
［３２］  スタック高さは、およそ３ｍｍである［３１］記載の電気コネクタ。
［３３］  さらに、それぞれの設置端部での電気接点のそれぞれ溶融するハンダボールを有する［３１］記載の電気コネクタ。
［３４］  スタック高さは、それぞれ、電気コネクタおよび補完的な電気コネクタのハンダボールの対向する最外側の端部によって画定される［３３］記載の電気コネクタ。
［３５］  設置端部のハンダボールは、すべて相互に共通平面である［３３］記載の電気コネクタ。
［３６］  ハンダボールは、コネクタハウジングの窪んだ領域に少なくとも部分的に存在する［３５］記載の電気コネクタ。
［３７］  スタック高さは、およそ１.５ｍｍとおよそ２.５ｍｍとの間の範囲にある［３６］記載の電気コネクタ。
［３８］  電気接点は、単に２つの位置でのみコネクタハウジングに接触し、さらに、２つの位置のそれぞれは、０.０１５ｍｍ平方対０.００１ｍｍ平方の接点領域を画定する［３１］の電気コネクタ。
［３９］  電気接点のそれぞれの結合端部は、プラグを有し、補完的な電気接点の結合端部は、それぞれ、プラグの１つを受けるレセプタクルを有する［３１］から［３８］のいずれか１項記載の電気コネクタ。
［４０］  電気接点のそれぞれの結合端部は、１対のスプリングアームによって画定されるレセプタクルを有し、さらに、各補完的な結合端部は、レセプタクルの１つによって受けられるプラグを有する［３１］から［３８］のいずれか１項記載の電気コネクタ。
［４１］  コネクタハウジングと;
コネクタハウジングによって支持される複数の電気接点と;
を有してなり、電気接点は、単に２つの位置でのみコネクタハウジングに接触し、かつ、その２つの位置のそれぞれは、０.０１５ｍｍ平方ミリメートルに対する０.００１ｍｍ平方の接点領域を画定する電気コネクタ。
［４２］  コネクタハウジングは、横断方向に沿って相互から一定間隔で配置された内側端部および外側端部を画定し、電気接点は、１）横断方向に垂直である長手方向に沿って相互から一定間隔で配置される第１および第２対向する側面部、および、２）横断方向および長手方向の両方に垂直である横方向に沿って相互から一定間隔で配置される第１および第２対向する端縁、を画定し、さらに、側面部は、長手方向および横方向によって画定される平面における端縁より長い［４１］記載の電気コネクタ。
［４３］  電気接点は、それぞれ、０.１ｍｍの長手方向に沿う厚さを有する［４２］記載の電気コネクタ。
［４４］  それぞれの位置は、０.０１ｍｍから０.１５ｍｍまでの横断方向に沿う接点高さ寸法を画定する［４２］および［４３］のいずれか１項記載の電気コネクタ。
［４５］  各位置の接点高さ寸法は、０.０６ｍｍである［４４］記載の電気コネクタ。
［４６］  電気接点は、２つの保持翼を画定し、さらに、２つの位置は、保持翼とコネクタハウジングとの間のそれぞれの当接によって画定される［４１］記載の電気コネクタ。
［４７］  保持翼は、それぞれ半径０.６ｍｍによって画定される［４６］記載の電気コネクタ。
［４８］  第１コネクタハウジングと;
第１コネクタハウジングによって支持される第１電気接点の第１アレイであって、この第１電気接点の第１アレイは、相互から一定間隔で配置され、かつ第１方向に沿って延びる第１電気接点の少なくとも２つの横列と、相互から一定間隔で配置され、かつ第１方向にほぼ垂直である第２方向に沿って延びる第１電気接点の少なくとも２つの縦列とであって、電気接点の少なくとも２つの横列のそれぞれは、第１電気接点の少なくとも２縦列のそれぞれと交差するものとを有してなり;
第１電気接点のそれぞれは、結合端部および設置端部を画定し、電気接点のそれぞれの結合端部は、１対の一定間隔で配置されたスプリングアームによって画定されたレセプタクルである; 第１電気コネクタと:
さらには、第２コネクタハウジングと;
第２コネクタハウジングによって支持される第２電気接点の第２アレイであって、この第２電気接点の第２アレイは、相互から一定間隔で配置され、かつ第１方向に沿って延びる第２電気接点の少なくとも２横列と、相互から一定間隔で配置され、かつ第１方向にほぼ垂直である第２方向に沿って延びる第２電気接点の少なくとも２縦列とであって、第２電気接点の少なくとも２横列のそれぞれは、第２電気接点の少なくとも２縦列のそれぞれと交差するものとを有してなり;
第２電気接点のそれぞれは、結合端部および設置端部を画定し、電気接点のそれぞれの結合端部は、第２電気接点の補完的な１つのスプリングアームの間で受けられるように構成されるプラグであり、それは、電気組立体が、およそ１ｍｍとおよそ４ｍｍの間の範囲にスタック高さを画定するようなものである第２電気コネクタと:を有する電気組立体。
［４９］  スタック高さは、およそ２ｍｍである［４８］記載の電気組立体。
［５０］  電気コネクタのそれぞれは、さらに、それぞれの設置端部での電気接点のそれぞれに溶融するハンダボールを有する［４９］記載の電気組立体。
［５１］  ハンダボールは、接点がコネクタハウジングによって支持されている間に、それぞれの設置端部での電気接点上にリフローされる［５０］記載の電気組立体。
［５２］  各電気コネクタの設置端部でハンダボールは、すべて相互に共通平面である［５１］記載の電気組立体。
［５３］  第１電気コネクタの設置端部でのハンダボールは、第１平面において相互に共通平面であり、かつ、第２電気コネクタの設置端部でのハンダボールは、第２平面において相互に共通平面であり、さらに、第１平面は、第２平面と平行である［５２］記載の電気組立体。
［５４］  ハンダボールは、コネクタハウジングの窪んだ領域に少なくとも部分的に存在する［５０］記載の電気組立体。
［５５］  ハウジング本体とこのハウジング本体を介して延びる複数の保持穴とを有するコネクタハウジングであって、ハウジング本体の少なくとも１つの内部壁によって画定される各保持穴であって各保持穴は選択した方向に沿う横断面の寸法を画定するものと;
コネクタハウジングに支持される電気接点のアレイであって、この電気接点のアレイは相互から一定間隔で配置され、かつ第１方向に沿って延びる電気接点の少なくとも２横列を有し、さらに相互いから一定間隔で配置され、かつ第１方向にほぼ垂直である第２方向に沿って延びる電気接点の少なくとも２縦列であって、電気接点の少なくとも２横列のそれぞれが電気接点の少なくとも２縦列のそれぞれと交差するものと;
電気接点のそれぞれは、結合する端部と、結合端部と対向する設置端部と、それぞれの設置端部での電気接点のそれぞれに融合されたそれぞれのハンダボールと、結合端部と設置端部との間に延びる先端部分とを画定してなり、電気接点のそれぞれは、さらに、相互から一定間隔で配置される、自由な遠位先端が、保持穴のそれぞれのものの内に圧力嵌めされるように、横断面寸法より大きい選択した方向に沿う距離、相互から一定間隔で配置されるそれぞれの自由な遠位先端への先端部分の対向側部から外方に突出する１対の保持翼を有し、さらに先端部分は、保持翼の一方から保持翼の他方へ選択した方向に垂直である第２方向に沿う少なくとも１つの内部壁から一定間隔で配置されるものを有する電気コネクタ。
［５６］  電気接点のそれぞれの結合端部は、電気コネクタが、相互に結合され、それによって、およそ１ｍｍとおよそ４ｍｍとの間の範囲におけるスタック高さを画定する場合に、補完的な電気コネクタの電気接点のプラグ結合端部を受けるように構成される１対のスプリングアームによって画定されるレセプタクルである［５５］記載の電気コネクタ。
［５７］  電気接点のそれぞれの結合端部は、電気コネクタが、相互に結合され、それによって、およそ１ｍｍとおよそ４ｍｍとの間の範囲におけるスタック高さを画定する場合に、補完的な電気コネクタの電気接点である１対のスプリングアームによって受けられるように構成される平担なブレードである［５５］記載の電気コネクタ。
［５８］  各電気接点は、選択した方向に沿って相互から一定間隔で配置された１対の端縁、および、第１方向に関して垂直である第２方向に沿って相互から一定間隔で配置された１対の対向する側面部を画定し、それは、側面部が、電気接点と交差での電気接点にほぼ直角に方向付けられる平面との交差に沿う端縁より長いようなものである［５５］記載の電気コネクタ。
［５９］  側面部のそれぞれは、保持翼の一方から保持翼の他方に連続していることを特徴とする［５８］記載の電気コネクタ。
［６０］  電気接点は、一方の側面部から他方の側面部まで接点本体を介して延びる取囲まれた開口を欠如する［５９］記載の電気コネクタ。
［６１］  電気接点のそれぞれの結合端部は、補完的な電気コネクタの電気接点のプラグ結合端部を受けるように構成される１対のスプリングアームによって画定されるレセプタクルであり、側面部のそれぞれは、さらに、スプリングアームのそれぞれから、それぞれの設置端部へ連続的である［５５］記載の電気コネクタ。
［６２］  電気接点は、一方の側面部から他方の側面部まで接点本体を介して延びる取囲まれた開口を欠如する［６１］記載の電気コネクタ。
【外国語明細書】
2018032638000001.pdf